(57)【要約】電子書籍に関連する補足コンテンツが、電子書籍の選択されたテキストにおけるキーワードを使用して検索クエリを作成することによって、取得され得る。検索の結果は、選択されたテキストの場所を含む電子書籍のためのマニフェストファイルから取得される電子書籍についての詳細を使用して、結果リストを精緻化するためにフィルタ処理され得る。一実施形態において、方法は、検索結果を選択する第２のユーザ入力を受信することと、検索結果に対応する補足コンテンツアイテムを受信することと、補足コンテンツアイテムを表示のために生成することとをさらに含む、【特許請求の範囲】
【請求項１】
電子ブックに伴う補足コンテンツを提供する方法であって、前記方法は、
電子ブックにおけるテキストの部分を選択する第１のユーザ入力を受信することと、
前記テキストの部分を解析し、前記テキストの部分におけるキーワードを決定することと、
前記キーワードに基づいて、補足コンテンツのためのクエリを生成することと、
前記クエリを遠隔データベースに伝送することと、
前記遠隔データベースから、前記キーワードに基づく複数の検索結果を受信することと、
前記電子ブックのタイトルおよびチャプタに基づいて、前記複数の検索結果をフィルタ処理することと、
前記フィルタ処理に基づく前記複数の検索結果のうちの検索結果を表示のために生成することと、
前記検索結果を選択する第２のユーザ入力を受信することと、
前記検索結果に対応する補足コンテンツアイテムを受信することと、
前記ユーザデバイスにおいて、前記補足コンテンツアイテムを表示のために生成することと
を含む、方法。
【請求項２】
電子ブックに伴う補足コンテンツを提供する方法であって、前記方法は、
ユーザデバイスにおいて、電子ブックにおけるテキストの部分を選択する第１のユーザ入力を受信することと、
前記ユーザデバイスにおいて、前記テキストの部分を解析し、前記テキストの部分におけるキーワードを決定することと、
前記ユーザデバイスにおいて、前記キーワードに基づいて、補足コンテンツのためのクエリを生成することと、
前記ユーザデバイスから、前記クエリを遠隔データベースに伝送することと、
前記ユーザデバイスにおいて、前記遠隔データベースから、前記キーワードに基づく複数の検索結果を受信することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記第１の基準および前記第２の基準に基づいて、前記複数の検索結果をフィルタ処理することと、
前記第１の基準および前記第２の基準に基づいて前記複数の検索結果をフィルタ処理した後、前記第１の基準および前記第２の基準に合致する前記複数の検索結果のうちの検索結果を表示のために生成することと、
前記ユーザデバイスにおいて、前記検索結果を選択する第２のユーザ入力を受信することと、
前記ユーザデバイスにおいて、前記検索結果に対応する補足コンテンツアイテムを受信することと、
前記ユーザデバイスにおいて、前記補足コンテンツアイテムを表示のために生成することと
を含む、方法。
【請求項３】
第３の基準に基づいて、前記検索結果をフィルタ処理することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項２に記載の方法。
【請求項４】
前記ユーザデバイスにおいて、前記検索結果をフィルタ処理するための第３の基準を自動的に選択することをさらに含み、前記第３の基準は、前記電子ブックに関連付けられた映画のバージョンに基づいている、請求項２に記載の方法。
【請求項５】
ユーザ入力を受信することによって前記テキストの部分を識別し、前記テキストの部分のためのＥＰＵＢオーバーレイクラスを生成することによって、前記テキストの部分をハイライトすることをさらに含む、請求項２に記載の方法。
【請求項６】
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、請求項２に記載の方法。
【請求項７】
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、請求項２に記載の方法。
【請求項８】
前記チャプタを自動的に選択することは、前記電子ブックのテキストの最後に表示されたページに基づいて、前記電子ブックにおけるユーザの進捗に対応するページ番号を決定することを含む、請求項２に記載の方法。
【請求項９】
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、請求項２に記載の方法。
【請求項１０】
前記ユーザデバイスにおいて、前記補足コンテンツアイテムと前記テキストの部分に戻るための選択可能オプションとを表示のために生成することをさらに含む、請求項２に記載の方法。
【請求項１１】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、請求項２に記載の方法。
【請求項１２】
電子ブックに伴う補足コンテンツを提供するためのシステムであって、前記システムは、
ユーザ入力を受信するように構成された入出力（Ｉ／Ｏ）インターフェース回路と、
制御回路と
を備え、
前記制御回路は、
ユーザデバイスにおいて、電子ブックにおけるテキストの部分を選択する第１のユーザ入力を受信することと、
前記ユーザデバイスにおいて、前記テキストの部分を解析し、前記テキストの部分におけるキーワードを決定することと、
前記ユーザデバイスにおいて、前記キーワードに基づいて、補足コンテンツのためのクエリを生成することと、
前記ユーザデバイスから、前記クエリを遠隔データベースに伝送することと、
前記ユーザデバイスにおいて、前記遠隔データベースから、前記キーワードに基づく複数の検索結果を受信することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記第１の基準および前記第２の基準に基づいて、前記複数の検索結果をフィルタ処理することと、
前記第１の基準および前記第２の基準に基づいて前記複数の検索結果をフィルタ処理した後、前記第１の基準および前記第２の基準に合致する前記複数の検索結果のうちの検索結果を表示のために生成することと、
前記ユーザデバイスにおいて、前記検索結果を選択する第２のユーザ入力を受信することと、
前記ユーザデバイスにおいて、前記検索結果に対応する補足コンテンツアイテムを受信することと、
前記ユーザデバイスにおいて、前記補足コンテンツアイテムを表示のために生成することと
を行うように構成されている、システム。
【請求項１３】
前記制御回路は、第３の基準に基づいて、前記検索結果をフィルタ処理するようにさらに構成され、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項１２に記載のシステム。
【請求項１４】
前記制御回路は、前記ユーザデバイスにおいて、前記検索結果をフィルタ処理するための第３の基準を自動的に選択するようにさらに構成され、前記第３の基準は、前記電子ブックに関連付けられた映画のバージョンに基づいている、請求項１２に記載のシステム。
【請求項１５】
前記制御回路は、ユーザ入力を受信することによって前記テキストの部分を識別し、前記テキストの部分のためのＥＰＵＢオーバーレイクラスを生成することによって、前記テキストの部分をハイライトするようにさらに構成されている、請求項１２に記載のシステム。
【請求項１６】
前記制御回路は、
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
を行うようにさらに構成されている、請求項１２に記載のシステム。
【請求項１７】
前記制御回路は、
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
を行うようにさらに構成されている、請求項１２に記載のシステム。
【請求項１８】
前記チャプタを自動的に選択するように構成された前記制御回路は、前記電子ブックのテキストの最後に表示されたページに基づいて、前記電子ブックにおけるユーザの進捗に対応するページ番号を決定するようにさらに構成されている、請求項１２に記載のシステム。
【請求項１９】
前記制御回路は、前記ユーザデバイスにおいて、前記テキストの部分と同じページにおいて前記電子ブック表示に組み込まれた選択可能インジケータを生成するようにさらに構成され、前記選択可能インジケータは、選択されると、前記補足コンテンツアイテムが前記ユーザデバイスにおいて表示されることをもたらす、請求項１２に記載のシステム。
【請求項２０】
前記制御回路は、前記ユーザデバイスにおいて、前記補足コンテンツアイテムと前記テキストの部分に戻るための選択可能オプションとを表示のために生成するようにさらに構成されている、請求項１２に記載のシステム。
【請求項２１】
前記ユーザデバイスまたは前記第２のユーザデバイスにおいて、前記補足コンテンツアイテムを表示のために生成するように構成された前記制御回路は、前記補足コンテンツアイテムが表示されることが可能かどうかをコンテンツ制御に基づいて決定するようにさらに構成されている、請求項１２に記載のシステム。
【請求項２２】
電子ブックに伴う補足コンテンツを提供するためのシステムであって、前記システムは、
ユーザデバイスにおいて、電子ブックにおけるテキストの部分を選択する第１のユーザ入力を受信する手段と、
前記ユーザデバイスにおいて、前記テキストの部分を解析し、前記テキストの部分におけるキーワードを決定する手段と、
前記ユーザデバイスにおいて、前記キーワードに基づいて、補足コンテンツのためのクエリを生成する手段と、
前記ユーザデバイスから、前記クエリを遠隔データベースに伝送する手段と、
前記ユーザデバイスにおいて、前記遠隔データベースから、前記キーワードに基づく複数の検索結果を受信する手段と、
前記ユーザデバイスにおいて、前記電子ブックのためのマニフェストファイルを読み出す手段であって、前記マニフェストファイルは、前記テキストの部分が選択された前記電子ブックのタイトルおよび前記電子ブックのチャプタを示す、手段と、
前記ユーザデバイスにおいて、前記マニフェストファイルに基づいて、前記タイトルを第１の基準として自動的に選択する手段と、
前記ユーザデバイスにおいて、前記マニフェストファイルに基づいて、前記チャプタを第２の基準として自動的に選択する手段と、
前記第１の基準および前記第２の基準に基づいて、前記複数の検索結果をフィルタ処理する手段と、
前記第１の基準および前記第２の基準に基づいて前記複数の検索結果をフィルタ処理した後、前記第１の基準および前記第２の基準に合致する前記複数の検索結果のうちの検索結果を表示のために生成する手段と、
前記ユーザデバイスにおいて、前記検索結果を選択する第２のユーザ入力を受信する手段と、
前記ユーザデバイスにおいて、前記検索結果に対応する補足コンテンツアイテムを受信する手段と、
前記ユーザデバイスにおいて、前記補足コンテンツアイテムを表示のために生成する手段と
を備えている、システム。
【請求項２３】
第３の基準に基づいて、前記検索結果をフィルタ処理する手段をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク、
のうちの少なくとも１つに基づいている、請求項２２に記載のシステム。
【請求項２４】
前記ユーザデバイスにおいて、前記検索結果をフィルタ処理するための第３の基準を自動的に選択する手段をさらに備え、前記第３の基準は、前記電子ブックに関連付けられた映画のバージョンに基づいている、請求項２２に記載のシステム。
【請求項２５】
ユーザ入力を受信することによって前記テキストの部分を識別し、前記テキストの部分のためのＥＰＵＢオーバーレイクラスを生成することによって、前記テキストの部分をハイライトする手段をさらに備えている、請求項２２に記載のシステム。
【請求項２６】
前記補足コンテンツを第２のユーザデバイスと共有するための選択可能オプションを提供する手段と、
前記選択可能オプションを選択するユーザ入力を受信することに応答して、前記補足コンテンツを前記第２のユーザデバイスにおいて表示のために生成する手段と
をさらに備えている、請求項２２に記載のシステム。
【請求項２７】
前記補足コンテンツに対応する前記電子ブックの文を決定する手段と、
前記文のためのＥＰＵＢオーバーレイクラスと前記補足コンテンツを示す前記オーバーレイクラスにおけるインジケータとを生成することによって、視覚ハイライトを前記文に適用する手段と
をさらに備えている、請求項２２に記載のシステム。
【請求項２８】
前記チャプタを自動的に選択することは、前記電子ブックのテキストの最後に表示されたページに基づいて、前記電子ブックにおけるユーザの進捗に対応するページ番号を決定する手段を備えている、請求項２２に記載のシステム。
【請求項２９】
前記ユーザデバイスにおいて、前記テキストの部分と同じページにおいて前記電子ブック表示に組み込まれた選択可能インジケータを生成する手段をさらに備え、前記選択可能インジケータは、選択されると、前記補足コンテンツアイテムが前記ユーザデバイスにおいて表示されることをもたらす、請求項２２に記載のシステム。
【請求項３０】
前記ユーザデバイスにおいて、前記補足コンテンツアイテムと前記テキストの部分に戻るための選択可能オプションとを表示のために生成する手段をさらに備えている、請求項２２に記載のシステム。
【請求項３１】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定する手段をさらに備えている、請求項２２に記載のシステム。
【請求項３２】
電子ブックに伴う補足コンテンツを提供するためのエンコードされた非一過性のコンピュータ読み取り可能な命令を有する非一過性のコンピュータ読み取り可能な媒体であって、前記命令は、
ユーザデバイスにおいて、電子ブックにおけるテキストの部分を選択する第１のユーザ入力を受信するための命令と、
前記ユーザデバイスにおいて、前記テキストの部分を解析し、前記テキストの部分におけるキーワードを決定するための命令と、
前記ユーザデバイスにおいて、前記キーワードに基づいて、補足コンテンツのためのクエリを生成するための命令と、
前記ユーザデバイスから、前記クエリを遠隔データベースに伝送するための命令と、
前記ユーザデバイスにおいて、前記遠隔データベースから、前記キーワードに基づく複数の検索結果を受信するための命令と、
前記ユーザデバイスにおいて、前記電子ブックのためのマニフェストファイルを読み出すための命令であって、前記マニフェストファイルは、前記テキストの部分が選択された前記電子ブックのタイトルおよび前記電子ブックのチャプタを示す、命令と、
前記ユーザデバイスにおいて、前記マニフェストファイルに基づいて、前記タイトルを第１の基準として自動的に選択するための命令と、
前記ユーザデバイスにおいて、前記マニフェストファイルに基づいて、前記チャプタを第２の基準として自動的に選択するための命令と、
前記第１の基準および前記第２の基準に基づいて、前記複数の検索結果をフィルタ処理するための命令と、
前記第１の基準および前記第２の基準に基づいて前記複数の検索結果をフィルタ処理した後、前記第１の基準および前記第２の基準に合致する前記複数の検索結果のうちの検索結果を表示のために生成するための命令と、
前記ユーザデバイスにおいて、前記検索結果を選択する第２のユーザ入力を受信するための命令と、
前記ユーザデバイスにおいて、前記検索結果に対応する補足コンテンツアイテムを受信するための命令と、
前記ユーザデバイスにおいて、前記補足コンテンツアイテムを表示のために生成するための命令と
を備えている、非一過性のコンピュータ読み取り可能な媒体。
【請求項３３】
第３の基準に基づいて、前記検索結果をフィルタ処理するための命令をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項３２に記載の非一過性のコンピュータ読み取り可能な媒体。
【請求項３４】
前記ユーザデバイスにおいて、前記検索結果をフィルタ処理するための第３の基準を自動的に選択するための命令をさらに備え、前記第３の基準は、前記電子ブックに関連付けられた映画のバージョンに基づいている、請求項３２に記載の非一過性のコンピュータ読み取り可能な媒体。
【請求項３５】
ユーザ入力を受信することによって前記テキストの部分を識別し、前記テキストの部分のためのＥＰＵＢオーバーレイクラスを生成することによって、前記テキストの部分をハイライトするための命令をさらに備えている、請求項３２に記載の非一過性のコンピュータ読み取り可能な媒体。
【請求項３６】
前記補足コンテンツを第２のユーザデバイスと共有するための選択可能オプションを提供するための命令と、
前記選択可能オプションを選択するユーザ入力を受信することに応答して、前記補足コンテンツを前記第２のユーザデバイスにおいて表示のために生成するための命令と
をさらに備えている、請求項３２に記載の非一過性のコンピュータ読み取り可能な媒体。
【請求項３７】
前記補足コンテンツに対応する前記電子ブックの文を決定するための命令と、
前記文のためのＥＰＵＢオーバーレイクラスと前記補足コンテンツを示す前記オーバーレイクラスにおけるインジケータとを生成することによって、視覚ハイライトを前記文に適用するための命令と
をさらに備えている、請求項３２に記載の非一過性のコンピュータ読み取り可能な媒体。
【請求項３８】
前記チャプタを自動的に選択するための前記命令は、前記電子ブックのテキストの最後に表示されたページに基づいて、前記電子ブックにおけるユーザの進捗に対応するページ番号を決定するための命令を備えている、請求項３２に記載の非一過性のコンピュータ読み取り可能な媒体。
【請求項３９】
前記ユーザデバイスにおいて、前記テキストの部分と同じページにおいて前記電子ブック表示に組み込まれた選択可能インジケータを生成するための命令をさらに備え、前記選択可能インジケータは、選択されると、前記補足コンテンツアイテムが前記ユーザデバイスにおいて表示されることをもたらす、請求項３２に記載の非一過性のコンピュータ読み取り可能な媒体。
【請求項４０】
前記ユーザデバイスにおいて、前記補足コンテンツアイテムと前記テキストの部分に戻るための選択可能オプションとを表示のために生成するための命令をさらに備えている、請求項３２に記載の非一過性のコンピュータ読み取り可能な媒体。
【請求項４１】
前記ユーザデバイスまたは前記第２のユーザデバイスにおいて、前記補足コンテンツアイテムを表示のために生成するための前記命令は、前記補足コンテンツアイテムが表示されることが可能かどうかをコンテンツ制御に基づいて決定するための命令をさらに備えている、請求項３２に記載の非一過性のコンピュータ読み取り可能な媒体。
【請求項４２】
電子ブックに伴う補足コンテンツを提供する方法であって、前記方法は、
ユーザデバイスにおいて、電子ブックにおけるテキストの部分を選択する第１のユーザ入力を受信することと、
前記ユーザデバイスにおいて、前記テキストの部分を解析し、前記テキストの部分におけるキーワードを決定することと、
前記ユーザデバイスにおいて、前記キーワードに基づいて、補足コンテンツのためのクエリを生成することと、
前記ユーザデバイスから、前記クエリを遠隔データベースに伝送することと、
前記ユーザデバイスにおいて、前記遠隔データベースから、前記キーワードに基づく複数の検索結果を受信することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記第１の基準および前記第２の基準に基づいて、前記複数の検索結果をフィルタ処理することと、
前記第１の基準および前記第２の基準に基づいて前記複数の検索結果をフィルタ処理した後、前記第１の基準および前記第２の基準に合致する前記複数の検索結果のうちの検索結果を表示のために生成することと、
前記ユーザデバイスにおいて、前記検索結果を選択する第２のユーザ入力を受信することと、
前記ユーザデバイスにおいて、前記検索結果に対応する補足コンテンツアイテムを受信することと、
前記ユーザデバイスにおいて、前記補足コンテンツアイテムを表示のために生成することと
を含む、方法。
【請求項４３】
第３の基準に基づいて、前記検索結果をフィルタ処理することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項４２に記載の方法。
【請求項４４】
前記ユーザデバイスにおいて、前記検索結果をフィルタ処理するための第３の基準を自動的に選択することをさらに含み、前記第３の基準は、前記電子ブックに関連付けられた映画のバージョンに基づいている、請求項４２−４３のいずれか１項に記載の方法。
【請求項４５】
ユーザ入力を受信することによって前記テキストの部分を識別し、前記テキストの部分のためのＥＰＵＢオーバーレイクラスを生成することによって、前記テキストの部分をハイライトすることをさらに含む、請求項４２−４４のいずれか１項に記載の方法。
【請求項４６】
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、請求項４２−４５のいずれか１項に記載の方法。
【請求項４７】
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、請求項４２−４６のいずれか１項に記載の方法。
【請求項４８】
前記チャプタを自動的に選択することは、前記電子ブックのテキストの最後に表示されたページに基づいて、前記電子ブックにおけるユーザの進捗に対応するページ番号を決定することを含む、請求項４２−４７のいずれか１項に記載の方法。
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、請求項４２−４８のいずれか１項に記載の方法。
【請求項４９】
前記ユーザデバイスにおいて、前記補足コンテンツアイテムと前記テキストの部分に戻るための選択可能オプションとを表示のために生成することをさらに含む、請求項４２−４９のいずれか１項に記載の方法。
【請求項５０】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、請求項４２−５０のいずれか１項に記載の方法。
【請求項５１】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、請求項４２−５０のいずれか１項に記載の方法。
【請求項５２】
電子ブックに伴う補足コンテンツを提供する方法であって、前記方法は、
ユーザデバイスにおいて表示された電子ブックにおけるテキストの部分を選択するユーザ入力を受信することと、
前記ユーザデバイスにおいて、前記テキストの部分を解析し、前記テキストの部分におけるキーワードを決定することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記ユーザデバイスにおいて、前記キーワード、前記第１の基準、および前記第２の基準に基づいて、補足コンテンツのためのクエリを生成することと、
前記ユーザデバイスから、前記クエリを遠隔データベースに伝送することであって、前記遠隔データベースは、前記キーワード、前記第１の基準、および前記第２の基準に合致する補足コンテンツアイテムに関して検索される、ことと、
前記ユーザデバイスにおいて、前記補足コンテンツアイテムを受信することと、
前記ユーザデバイスにおいて、前記補足コンテンツアイテムを表示のために生成することと
を含む、方法。
【請求項５３】
前記クエリのための第３の基準を選択することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項５２に記載の方法。
【請求項５４】
前記ユーザデバイスにおいて、前記クエリのための第３の基準を自動的に選択することをさらに含み、前記第３の基準は、前記電子ブックに関連付けられた映画のバージョンに基づいている、請求項５２に記載の方法。
【請求項５５】
ユーザ入力を受信することによって前記テキストの部分を識別し、前記テキストの部分のためのＥＰＵＢオーバーレイクラスを生成することによって、前記テキストの部分をハイライトすることをさらに含む、請求項５２に記載の方法。
【請求項５６】
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、請求項５２に記載の方法。
【請求項５７】
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、請求項５２に記載の方法。
【請求項５８】
前記チャプタを自動的に選択することは、前記電子ブックのテキストの最後に表示されたページに基づいて、前記電子ブックにおけるユーザの進捗に対応するページ番号を決定することを含む、請求項５２に記載の方法。
【請求項５９】
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、請求項５２に記載の方法。
【請求項６０】
前記ユーザデバイスにおいて、前記補足コンテンツアイテムと前記テキストの部分に戻るための選択可能オプションとを表示のために生成することをさらに含む、請求項５２に記載の方法。
【請求項６１】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、請求項５２に記載の方法。
【請求項６２】
電子ブックに伴う補足コンテンツを提供するためのシステムであって、前記システムは、
ユーザ入力を受信するように構成された入出力（Ｉ／Ｏ）インターフェース回路と、
制御回路と
を備え、
前記制御回路は、
ユーザデバイスにおいて表示された電子ブックにおけるテキストの部分を選択するユーザ入力を受信することと、
前記ユーザデバイスにおいて、前記テキストの部分を解析し、前記テキストの部分におけるキーワードを決定することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記ユーザデバイスにおいて、前記キーワード、前記第１の基準、および前記第２の基準に基づいて、補足コンテンツのためのクエリを生成することと、
前記ユーザデバイスから、前記クエリを遠隔データベースに伝送することであって、前記遠隔データベースは、前記キーワード、前記第１の基準、および前記第２の基準に合致する補足コンテンツアイテムに関して検索される、ことと、
前記ユーザデバイスにおいて、前記補足コンテンツアイテムを受信することと、
前記ユーザデバイスにおいて、前記補足コンテンツアイテムを表示のために生成することと
を行うように構成されている、システム。
【請求項６３】
前記制御回路は、前記クエリのための第３の基準を選択するようにさらに構成され、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項６２に記載のシステム。
【請求項６４】
前記制御回路は、前記ユーザデバイスにおいて、前記クエリのための第３の基準を自動的に選択するようにさらに構成され、前記第３の基準は、前記電子ブックに関連付けられた映画のバージョンに基づいている、請求項６２に記載のシステム。
【請求項６５】
前記制御回路は、ユーザ入力を受信することによって前記テキストの部分を識別し、前記テキストの部分のためのＥＰＵＢオーバーレイクラスを生成することによって、前記テキストの部分をハイライトするようにさらに構成されている、請求項６２に記載のシステム。
【請求項６６】
前記制御回路は、
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
を行うようにさらに構成されている、請求項６２に記載のシステム。
【請求項６７】
前記制御回路は、
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
を行うようにさらに構成されている、請求項６２に記載のシステム。
【請求項６８】
前記チャプタを自動的に選択することは、前記電子ブックのテキストの最後に表示されたページに基づいて、前記電子ブックにおけるユーザの進捗に対応するページ番号を決定することを含む、請求項６２に記載のシステム。
【請求項６９】
前記制御回路は、前記ユーザデバイスにおいて、前記テキストの部分と同じページにおいて前記電子ブック表示に組み込まれた選択可能インジケータを生成するようにさらに構成され、前記選択可能インジケータは、選択されると、前記補足コンテンツアイテムが前記ユーザデバイスにおいて表示されることをもたらす、請求項６２に記載のシステム。
【請求項７０】
前記制御回路は、前記ユーザデバイスにおいて、前記補足コンテンツアイテムと前記テキストの部分に戻るための選択可能オプションとを表示のために生成するようにさらに構成されている、請求項６２に記載のシステム。
【請求項７１】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、請求項６２に記載のシステム。
【請求項７２】
電子ブックに伴う補足コンテンツを提供する方法であって、前記方法は、
ユーザデバイスにおいて表示された電子ブックにおけるテキストの部分を選択するユーザ入力を受信する手段と、
前記ユーザデバイスにおいて、前記テキストの部分を解析し、前記テキストの部分におけるキーワードを決定する手段と、
前記ユーザデバイスにおいて、前記電子ブックのためのマニフェストファイルを読み出す手段であって、前記マニフェストファイルは、前記テキストの部分が選択された前記電子ブックのタイトルおよび前記電子ブックのチャプタを示す、手段と、
前記ユーザデバイスにおいて、前記マニフェストファイルに基づいて、前記タイトルを第１の基準として自動的に選択する手段と、
前記ユーザデバイスにおいて、前記マニフェストファイルに基づいて、前記チャプタを第２の基準として自動的に選択する手段と、
前記ユーザデバイスにおいて、前記キーワード、前記第１の基準、および前記第２の基準に基づいて、補足コンテンツのためのクエリを生成する手段と、
前記ユーザデバイスから、前記クエリを遠隔データベースに伝送する手段であって、前記遠隔データベースは、前記キーワード、前記第１の基準、および前記第２の基準に合致する補足コンテンツアイテムに関して検索される、手段と、
前記ユーザデバイスにおいて、前記補足コンテンツアイテムを受信する手段と、
前記ユーザデバイスにおいて、前記補足コンテンツアイテムを表示のために生成する手段と
を備えている、方法。
【請求項７３】
前記クエリのための第３の基準を選択する手段をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項７２に記載の方法。
【請求項７４】
前記ユーザデバイスにおいて、前記クエリのための第３の基準を自動的に選択する手段をさらに備え、前記第３の基準は、前記電子ブックに関連付けられた映画のバージョンに基づいている、請求項７２に記載の方法。
【請求項７５】
ユーザ入力を受信することによって前記テキストの部分を識別し、前記テキストの部分のためのＥＰＵＢオーバーレイクラスを生成することによって、前記テキストの部分をハイライトする手段をさらに備えている、請求項７２に記載の方法。
【請求項７６】
前記補足コンテンツを第２のユーザデバイスと共有するための選択可能オプションを提供する手段と、
前記選択可能オプションを選択するユーザ入力を受信することに応答して、前記補足コンテンツを前記第２のユーザデバイスにおいて表示のために生成する手段と
をさらに備えている、請求項７２に記載の方法。
【請求項７７】
前記補足コンテンツに対応する前記電子ブックの文を決定する手段と、
前記文のためのＥＰＵＢオーバーレイクラスと前記補足コンテンツを示す前記オーバーレイクラスにおけるインジケータとを生成することによって、視覚ハイライトを前記文に適用する手段と
をさらに備えている、請求項７２に記載の方法。
【請求項７８】
前記チャプタを自動的に選択することは、前記電子ブックのテキストの最後に表示されたページに基づいて、前記電子ブックにおけるユーザの進捗に対応するページ番号を決定する手段を備えている、請求項７２に記載の方法。
【請求項７９】
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、請求項７２に記載の方法。
【請求項８０】
前記ユーザデバイスにおいて、前記補足コンテンツアイテムと前記テキストの部分に戻るための選択可能オプションとを表示のために生成する手段をさらに備えている、請求項７２に記載の方法。
【請求項８１】
前記ユーザデバイスまたは前記第２のユーザデバイスにおいて、前記補足コンテンツアイテムを表示のために生成する手段は、前記補足コンテンツアイテムが表示されることが可能かどうかをコンテンツ制御に基づいて決定する手段をさらに備えている、請求項７２に記載の方法。
【請求項８２】
電子ブックに伴う補足コンテンツを提供するためのエンコードされた非一過性のコンピュータ読み取り可能な命令を有する非一過性のコンピュータ読み取り可能な媒体であって、前記命令は、
ユーザデバイスにおいて表示された電子ブックにおけるテキストの部分を選択するユーザ入力を受信するための命令と、
前記ユーザデバイスにおいて、前記テキストの部分を解析し、前記テキストの部分におけるキーワードを決定するための命令と、
前記ユーザデバイスにおいて、前記電子ブックのためのマニフェストファイルを読み出すための命令であって、前記マニフェストファイルは、前記テキストの部分が選択された前記電子ブックのタイトルおよび前記電子ブックのチャプタを示す、命令と、
前記ユーザデバイスにおいて、前記マニフェストファイルに基づいて、前記タイトルを第１の基準として自動的に選択するための命令と、
前記ユーザデバイスにおいて、前記マニフェストファイルに基づいて、前記チャプタを第２の基準として自動的に選択するための命令と、
前記ユーザデバイスにおいて、前記キーワード、前記第１の基準、および前記第２の基準に基づいて、補足コンテンツのためのクエリを生成するための命令と、
前記ユーザデバイスから、前記クエリを遠隔データベースに伝送するための命令であって、前記遠隔データベースは、前記キーワード、前記第１の基準、および前記第２の基準に合致する補足コンテンツアイテムに関して検索される、命令と、
前記ユーザデバイスにおいて、前記補足コンテンツアイテムを受信するための命令と、
前記ユーザデバイスにおいて、前記補足コンテンツアイテムを表示のために生成するための命令と
を備えている、非一過性のコンピュータ読み取り可能な媒体。
【請求項８３】
前記クエリのための第３の基準を選択するための命令をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項８２に記載の非一過性のコンピュータ読み取り可能な媒体。
【請求項８４】
前記ユーザデバイスにおいて、前記クエリのための第３の基準を自動的に選択するための命令をさらに備え、前記第３の基準は、前記電子ブックに関連付けられた映画のバージョンに基づいている、請求項８２に記載の非一過性のコンピュータ読み取り可能な媒体。
【請求項８５】
ユーザ入力を受信することによって前記テキストの部分を識別し、前記テキストの部分のためのＥＰＵＢオーバーレイクラスを生成することによって、前記テキストの部分をハイライトするための命令をさらに備えている、請求項８２に記載の非一過性のコンピュータ読み取り可能な媒体。
【請求項８６】
前記補足コンテンツを第２のユーザデバイスと共有するための選択可能オプションを提供するための命令と、
前記選択可能オプションを選択するユーザ入力を受信することに応答して、前記補足コンテンツを前記第２のユーザデバイスにおいて表示のために生成するための命令と
をさらに備えている、請求項８２に記載の非一過性のコンピュータ読み取り可能な媒体。
【請求項８７】
前記補足コンテンツに対応する前記電子ブックの文を決定するための命令と、
前記文のためのＥＰＵＢオーバーレイクラスと前記補足コンテンツを示す前記オーバーレイクラスにおけるインジケータとを生成することによって、視覚ハイライトを前記文に適用するための命令と
をさらに備えている、請求項８２に記載の非一過性のコンピュータ読み取り可能な媒体。
【請求項８８】
前記チャプタを自動的に選択することは、前記電子ブックのテキストの最後に表示されたページに基づいて、前記電子ブックにおけるユーザの進捗に対応するページ番号を決定するための命令を備えている、請求項８２に記載の非一過性のコンピュータ読み取り可能な媒体。
【請求項８９】
前記ユーザデバイスにおいて、前記テキストの部分と同じページにおいて前記電子ブック表示に組み込まれた選択可能インジケータを生成するための命令をさらに備え、前記選択可能インジケータは、選択されると、前記補足コンテンツアイテムが前記ユーザデバイスにおいて表示されることをもたらす、請求項８２に記載の非一過性のコンピュータ読み取り可能な媒体。
【請求項９０】
前記ユーザデバイスにおいて、前記補足コンテンツアイテムと前記テキストの部分に戻るための選択可能オプションとを表示のために生成するための命令をさらに備えている、請求項８２に記載の非一過性のコンピュータ読み取り可能な媒体。
【請求項９１】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定するための命令をさらに備えている、請求項８２に記載の非一過性のコンピュータ読み取り可能な媒体。
【請求項９２】
電子ブックに伴う補足コンテンツを提供する方法であって、前記方法は、
ユーザデバイスにおいて表示された電子ブックにおけるテキストの部分を選択するユーザ入力を受信することと、
前記ユーザデバイスにおいて、前記テキストの部分を解析し、前記テキストの部分におけるキーワードを決定することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記ユーザデバイスにおいて、前記キーワード、前記第１の基準、および前記第２の基準に基づいて、補足コンテンツのためのクエリを生成することと、
前記ユーザデバイスから、前記クエリを遠隔データベースに伝送することであって、前記遠隔データベースは、前記キーワード、前記第１の基準、および前記第２の基準に合致する補足コンテンツアイテムに関して検索される、ことと、
前記ユーザデバイスにおいて、前記補足コンテンツアイテムを受信することと、
前記ユーザデバイスにおいて、前記補足コンテンツアイテムを表示のために生成することと
を含む、方法。
【請求項９３】
前記クエリのための第３の基準を選択することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項９２に記載の方法。
【請求項９４】
前記ユーザデバイスにおいて、前記クエリのための第３の基準を自動的に選択することをさらに含み、前記第３の基準は、前記電子ブックに関連付けられた映画のバージョンに基づいている、請求項９２−９３のいずれか１項に記載の方法。
【請求項９５】
ユーザ入力を受信することによって前記テキストの部分を識別し、前記テキストの部分のためのＥＰＵＢオーバーレイクラスを生成することによって、前記テキストの部分をハイライトすることをさらに含む、請求項９２−９４のいずれか１項に記載の方法。
【請求項９６】
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、請求項９２−９５のいずれか１項に記載の方法。
【請求項９７】
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、請求項９２−９６のいずれか１項に記載の方法。
【請求項９８】
前記チャプタを自動的に選択することは、前記電子ブックのテキストの最後に表示されたページに基づいて、前記電子ブックにおけるユーザの進捗に対応するページ番号を決定することを含む、請求項９２−９７のいずれか１項に記載の方法。
【請求項９９】
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、請求項９２−９８のいずれか１項に記載の方法。
【請求項１００】
前記ユーザデバイスにおいて、前記補足コンテンツアイテムと前記テキストの部分に戻るための選択可能オプションとを表示のために生成することをさらに含む、請求項９２−９９のいずれか１項に記載の方法。
【請求項１０１】
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、請求項９２−１００のいずれか１項に記載の方法。
【発明の詳細な説明】
【背景技術】
【０００１】
読者のために電子書籍データを表示することが可能である多くのタイプのデバイスが存在する。これらのデバイスのうちのいくつかは、他のタイプのメディアデータを表示することも可能である。いくつかの電子書籍デバイスでは、読者は、限定された方法で書籍のコンテンツと相互作用することが可能であり得る。例えば、読者は、書籍における用語の定義に関して辞書を検索することが可能であり得る。別の例では、読者は、テキストにおける用語を検索し、テキストをハイライトし、それについてコメントすることができる。そのような相互作用は、電子書籍におけるテキストのコンテンツに限定される。電子書籍テキストを他の関連コンテンツとリンクするための機構が存在しない。しかしながら、読者は、テキストに関連する追加のコンテンツを見出し、読者の読書体験を向上させることを望み得る。ユーザが電子書籍に関連する他のコンテンツを見出すことを望む場合、ユーザは、コンテンツの検索を実施する必要があり、検索結果は、膨大または無関係であり得る。何故なら、ユーザに興味深いコンテンツ、または電子書籍、特に、読者が読んでいる書籍の部分に関連性があるコンテンツを見出すことが困難であり得るからである。
【発明の概要】
【課題を解決するための手段】
【０００２】
故に、システムおよび方法が、電子書籍（「電子ブック」）に付随する補足コンテンツを提供するために説明される。電子ブックユーザは、電子デバイス上で書籍を読み得る。電子ブックを閲覧するための多くの方法が存在する。例えば、Ｋｉｎｄｌｅ、Ｎｏｏｋ、Ｆｉｒｅタブレット等の専用電子ブックリーダが、電子ブックを読むために使用されることができる。電子ブックを読むためにタブレットまたはポータブルデバイス上で使用され得るｉＢｏｏｋｓ、Ｋｉｎｄｌｅ、ＯｖｅｒＤｒｉｖｅ、ＣｌｏｕｄＬｉｂｒａｒｙ等の電子ブックソフトウェアも存在する。読者が電子ブックを読んでいるとき、読者は、電子ブックに関連するコンテンツを取得することを望み得る。例えば、読者は、書籍に関連する注釈、登場人物情報、または他の詳細を取得することを望み得る。一部の読者は、映画化、友人からの書籍レビュー、テキストについてのビデオクリップ、または他のコンテンツ等の他の関連コンテンツを閲覧することを望み得る。そのような関連コンテンツは、電子ブックのための補足コンテンツと考えられ得る。補足コンテンツは、読者が使用している同じデバイス上で閲覧されるか、または、別のデバイスに共有され得る。例えば、タブレットを見ている読者は、そのリビングルームに着席し得、テレビ画面上で関連映画またはテレビ番組を作動させることを望み得る。別の例では、タブレットを見ている読者は、電子ブックを読み、体験を家族または友人と共有することを望み得、他の個人のために別のデバイス上で表示するために、電子ブックに関連するメディアを検索することができる。そのような補足コンテンツを見出すために、ユーザは、電子ブックのテキストと相互作用し、補足コンテンツを取得し得る。いくつかのシナリオでは、電子ブックのテキストとの相互作用は、メディアガイドアプリケーションを使用して検索クエリを作成し、補足コンテンツを検索し得る。いくつかの例では、補足コンテンツのための選択可能オプションが、電子ブック表示のテキストに、または電子ブックのための表示ページに含まれ得る。別の例では、補足コンテンツは、電子ブックファイル内の情報を使用して、メディアガイドアプリケーションによっても識別され得る。これらの例は、電子ブックテキスト表示画面内で組み合わせられることにより、同じ画面内で電子ブックに関連するコンテンツにアクセスする異なる方法を提示し得る。
【０００３】
例では、ユーザは、ユーザデバイスにおいて表示された電子ブックにおけるテキストの部分を選択し得る。テキストの部分の選択は、ディスプレイデバイス上のタッチスクリーンを使用して、またはマウス、ボール、ローラ等を使用すること等の別のユーザ入力技法を使用することによって、入力され得る。選択された部分は、電子ブックが表示されるユーザデバイスによって受信されるか、または、代替として、電子ブックタブレットの遠隔にあるユーザデバイスによって受信され得る。そのような入力は、ホームネットワーク（例えば、ＬＡＮ）によって、またはデータまたはセルラー接続を介して、またはインターネットを介して等、電子ブックタブレットからの通信によってユーザデバイスによって受信され得る。テキストの選択された部分は、それがユーザまたは読者に見えるように、テキストの部分のためのオーバーレイクラスを生成することによって、ユーザのために識別またはハイライトされ得る。
【０００４】
ユーザデバイスは、テキストの受信された部分を解析し、テキストのその部分におけるキーワードを決定し得る。キーワードは、テキストの部分に含まれる１つ以上の実際の用語であり得る。一般的に言えば、選択されたテキストにおける任意の用語が、キーワードであり得る。いくつかの用語は、検索におけるキーワードとして、より高い関連性を有すると決定され得る。そのような用語は、例えば、形容詞および動詞よりも名詞であり得る。そのような用語は、選択されたテキストにおける用語を電子ブックマニフェストファイル内にあり得る書籍についての概要、注釈、またはメタデータと比較することによっても、識別され得る。例えば、いくつかの書籍は、タグラインを有し得、タグラインは、参照ソースに関連付けられ、タグラインは、いくつかの関連付けられるメディアアイテムも有し得る。いくつかのシナリオでは、選択されたテキストは、独特の様式で表示内に識別され得、それによって、読者は、テキストに関連付けられた補足コンテンツがあることを分かることができる。そのようなテキストが選択されるとき、電子ブックデバイス上で起動するメディアガイドアプリケーションは、デバイスに配信されるべき関連補足コンテンツを識別し得る。いくつかの例では、メディアガイドアプリケーションは、電子ブックのためのメタデータまたはマニフェストファイルをチェックすることによって、電子ブックにおけるテキストと補足コンテンツとの間の関連性を読み出すことができる。他の例では、メディアガイドアプリケーションは、電子ブックと補足コンテンツとの関連性が記憶され得るメディアデータベースから、補足コンテンツ情報を読み出し得る。別の例では、メディアガイドアプリケーションは、両方のソースをチェックし、例えば、読者のユーザプロファイル、デバイス履歴、メディアアクセス利用可能性、補足コンテンツの人気、補足コンテンツの関連性の強さ、または他の基準に基づいて、読者に表示するための最良または最も関連性のある補足コンテンツアイテムを選定し得る。
【０００５】
多くの電子ブックファイルは、デジタル出版物のための技術規格ファイルフォーマットであるＥＰＵＢファイルフォーマットで記憶される。他のファイルフォーマット、例えば、ＰＤＦも、電子ブックに使用される。一般に、ＥＰＵＢファイルフォーマットは、電子ブックについての詳細を含み、詳細は、電子ブックのためのマニフェストファイル内にあり得る。書籍のためのマニフェストファイルは、メディアガイドアプリケーションによってユーザデバイスにおいて読み出され得、マニフェストファイルは、いくつかある情報の中でも、テキストの部分が選択された電子ブックのタイトルおよび電子ブックのチャプタを示し得る。マニフェストファイルから取得されるタイトルの自動選択が、メディアガイドアプリケーションによって実施され得、タイトルは、第１の基準にされ得る。電子ブックのチャプタは、マニフェストファイルから取得され、第２の基準として自動的に選択され得る。いくつかのシナリオでは、メディアガイドアプリケーションは、記憶された電子ブックおよび関連コンテンツリンクのデータベースを検索し、次いで、電子ブックのマニフェスト詳細を使用して、関連性のある結果をフィルタ処理し得る。
【０００６】
電子ブック部分に関連する補足コンテンツのためのクエリが、これらの基準（すなわち、タイトルである第１の基準およびチャプタである第２の基準）およびテキストの選択された部分から取得されたキーワードを使用して、生成され得る。クエリは、クエリ（すなわち、キーワード、第１の基準、および第２の基準）に合致する補足コンテンツアイテムを検索するために、ユーザデバイスから、メディアデータベース等の遠隔データベースに伝送され得る。合致する補足コンテンツアイテムが、次いで、メディアガイドアプリケーションに伝送され、メディアガイドアプリケーションによってユーザデバイスにおいて表示され得る。例では、電子ブックリーダが、Ｂｅａｕｔｙ  ａｎｄ  ｔｈｅ  Ｂｅａｓｔのあるバージョンを読み取り得る。Ｂｅａｕｔｙ  ａｎｄ  ｔｈｅ  Ｂｅａｓｔの多くの異なる書籍バージョンおよび改作が存在する。原作から着想を得たテレビシリーズ、映画、漫画、アニメ映画、楽曲、音楽ビデオ、および他のメディアも存在する。Ｂｅａｕｔｙ  ａｎｄ  ｔｈｅ  Ｂｅａｓｔの読者が書籍に関連性がある関連コンテンツを見出すことに関心を持っている場合、読者は、Ｂｅａｕｔｙ  ａｎｄ  ｔｈｅ  Ｂｅａｓｔの電子ブックのテキストの部分を選択し、検索を生成し得る。そのような検索は、書籍のタイトルおよび書籍のチャプタを含む電子ブックマニフェストファイルからの基準も含み得る。単純にテキストからのキーワードを検索することは、いくつかの無作為な結果につながり得る。例えば、Ｂｅａｕｔｙ  ａｎｄ  ｔｈｅ  Ｂｅａｓｔでは、タグライン「ｂｅ  ｏｕｒ  ｇｕｅｓｔ」の単純な検索は、「ｇｕｅｓｔ」に合致する結果につながり得る。そのような結果は、読者に無関係であろう。Ｂｅａｕｔｙ  ａｎｄ  ｔｈｅ  Ｂｅａｓｔを読み得る読者に関して、語句「ｂｅ  ｏｕｒ  ｇｕｅｓｔ」を見るとき、読者は、映画からの楽曲を思い出し得、楽曲を含む音楽ビデオまたは映画クリップを視聴することを望み得る。
【０００７】
ブックタイトルを検索に追加することは、検索の文脈を説明することに役立つであろう。加えて、エピソード的であるメディアまたは複数の部分を有するメディアに関して、チャプタまたは場所情報を使用することは、物語の進捗における点を策定し、より関連性のある結果を見出すことができる。いくつかの例では、タグライン「ｂｅ  ｏｕｒ  ｇｕｅｓｔ」がＢｅａｕｔｙ  ａｎｄ  ｔｈｅ  Ｂｅａｓｔメディアについてのレビューおよび解説で把握されるので、メディアガイドアプリケーションは、このタグラインのための補足コンテンツを識別し、情報を電子ブックリーダに供給し得る電子ブックデータベース内にそれを記憶し得、それによって、電子ブックにおけるこのタグラインの使用が、補足コンテンツがあることを示す様式で表示されることができる。そのようなテキストが選択されると、選択は、メディアガイドアプリケーションによって受信され得、メディアガイドアプリケーションは、次いで、電子ブックデータベースまたは電子ブックメタデータファイルを調べ、関連補足コンテンツを識別し、読み出すであろう。クエリのための追加の基準も、検索に含まれ得る。例えば、ページ番号、行番号、段落番号、場面、電子ブックマーク、映画、映画バージョンを含む第３の基準が、テキストの選択された部分に関連する電子ブックのためのマニフェストファイル内で識別され得る。追加の基準および基準の組み合わせも、補足コンテンツのためのクエリを構築するために使用されることができる。メディアガイドアプリケーションによって自動的に実施される検索に関して、マニフェストファイル基準は、電子ブックにおけるテキストの部分に最も関連性のある特定の補足コンテンツアイテムの選定に焦点を合わせるために使用されることができる。
【０００８】
ユーザ選好情報も、検索を構築し、結果をフィルタ処理するために使用されることができる。例えば、パロディ、漫画、およびコメディを含むメディアガイドユーザプロファイルを伴う読者に関して、そのような読者が電子ブックからテキストの部分を選択するとき、選好プロファイルは、結果を改変し得る。例えば、Ｂｅａｕｔｙ  ａｎｄ  ｔｈｅ  Ｂｅａｓｔの読者に関して、タグライン「ｂｅ  ｏｕｒ  ｇｕｅｓｔ」を選択すると、その読者は、Ｍｒ．Ｂｕｒｎｓによるパロディ楽曲「Ｓｅｅ  Ｍｙ  Ｖｅｓｔ」を含むＳｉｍｐｓｏｎｓのエピソードを含む結果リスト項目を見得る。
【０００９】
いくつかのシナリオでは、検索において識別される補足コンテンツは、第２のユーザデバイスと共有され得る。例えば、読者は、タブレットまたはポータブルデバイス上で電子ブックを読み得、書籍の映画化等の書籍のある関連コンテンツを視聴することを望み得る。読者は、テレビ等のより大きい画面上でその映画を視聴しようとし得るか、または、第２のデバイス（おそらく、読者自身のデバイス）または友人または家族のデバイスと映画を共有することを望み得る。ユーザのデバイス上に表示される補足コンテンツは、ユーザが補足コンテンツを別のデバイスと共有することを可能にする選択可能ボタンを伴って表示されるように構成され得る。ボタンがユーザによって選択されると、メディアガイドアプリケーションは、選択を受信し、補足コンテンツが第２のデバイス上に表示されるようにするであろう。補足コンテンツが第２のデバイス上に表示される前、メディアガイドアプリケーションは、随意の決定を実施し、補足コンテンツアイテムが第２のデバイス上に表示され得ることを確実にし得る。例えば、第２のデバイスは、あるメディアサブスクリプション限定、年齢およびコンテンツ制御、または補足コンテンツを表示するための他の制限を有し得る。この場合、ユーザは、補足コンテンツのアクセス可能性または好適性を確認するようにプロンプトされ得る。
【００１０】
いくつかのシナリオでは、電子ブックが、関連コンテンツがあることを明確にする様式で表示され得る。例えば、電子ブックにおける文または語句は、書籍の映画化におけるタグラインであり得る。例えば、Ｂｅａｕｔｙ  ａｎｄ  ｔｈｅ  Ｂｅａｓｔにおいて、タグライン「ｂｅ  ｏｕｒ  ｇｕｅｓｔ」は、電子ブックにおいて異なる方法で表示され得る。この例では、タグラインを伴う文は、それが関連付けられた補足コンテンツを有することを示すための様式でハイライトされ得る。ハイライトされた語句または用語の各実例は、補足コンテンツのタイプまたはソースを示し得る異なる様式で示され得る。例えば、ビデオクリップである補足コンテンツが、１つの方法で表示される関連テキストを伴って示され得、映画である補足コンテンツが、別の方法で示される関連テキストを有することによって描写され得る。他のタイプのパロディまたは社会的主張コンテンツが、他の方法で描写され得る。タグライン「ｂｅ  ｏｕｒ  ｇｕｅｓｔ」は、メディアデータベースにおいて、以下に関連付けられ得る：Ｂｅａｕｔｙ  ａｎｄ  ｔｈｅ  Ｂｅａｓｔの映画；楽曲「Ｂｅ  ｏｕｒ  Ｇｕｅｓｔ」の音楽ビデオ；楽曲「Ｂｅ  ｏｕｒ  Ｇｕｅｓｔ」を示す漫画；場面に関連するＢｅａｕｔｙ  ａｎｄ  ｔｈｅ  Ｂｅａｓｔのテレビシリーズのうちの１つのエピソード；または、他の関連性のあるメディア。電子ブックにおけるタグラインは、電子ブックテキストにおけるタグラインの場所に応じて、メディアデータベース内の異なるアイテムに関連付けられ得る。例えば、「ｂｅ  ｏｕｒ  ｇｕｅｓｔ」の前半の使用は、映画の部分またはビデオクリップに関連付けられ得る一方で、「ｂｅ  ｏｕｒ  ｇｕｅｓｔ」の後半の使用は、再現ビデオ、またはテレビエピソード、またはＢｅａｕｔｙ  ａｎｄ  ｔｈｅ  Ｂｅａｓｔの実写バージョン内の場面等に関連付けられ得る。電子ブックファイルのためのメタデータは、電子ブックテキストと補足コンテンツとの間の参照、または、電子ブックテキストと補足コンテンツリンクを見出すための電子ブックデータベースソースとの間の参照を含み得る。そのようなデータベースは、最良かつ最も関連性のある補足コンテンツアイテムを提供するために、メディアガイドアプリケーションによって更新され得る。
【００１１】
文は、関連補足コンテンツがあることを示すために、文のためのオーバーレイクラスを使用して、視覚的にハイライトされ得る。別の例では、ボタンまたは選択可能インジケータが、電子ブック表示に含まれ得、それは、読者に表示されている電子ブックの部分に関連する電子ブックのための補足コンテンツを取得するために選択され得る。読者が電子ブックを通して進行すると、そのような補足コンテンツボタンは、読者が閲覧している、または読んでいるページに応じて、異なる補足コンテンツアイテムにつながり得る。例えば、Ｂｅａｕｔｙ  ａｎｄ  ｔｈｅ  Ｂｅａｓｔの前半のテキストの部分は、Ｂｅａｕｔｙ  ａｎｄ  ｔｈｅ  Ｂｅａｓｔのいくつかの改作、すなわち、映画、テレビ、実写、音楽ビデオに関連性があり得るが、しかしながら、テキストの後半の部分は、映画またはテレビエピソードが、Ｂｅａｕｔｙ  ａｎｄ  ｔｈｅ  Ｂｅａｓｔの書籍のある部分の参照を省略していることもあるので、異なる関連付けられるメディアアイテムを有し得る。書籍の進捗間の関係についての詳細は、電子ブックのためのマニフェストファイル内で見出され、遠隔メディアデータベース内の関連付けられるメディアアイテムを互いに関係付けるために使用され得る。
【００１２】
クエリが補足コンテンツを検索するために作成されると、マニフェストファイルから取得される基準は、それが電子ブックの進捗に関連し得るという点で重要であり得る。これは、一連の書籍の部分である書籍、および／または、複数の映画、またはテレビシリーズのエピソードに改作された書籍に関連性があり得る。したがって、チャプタ情報がテキストの選択された部分のためにマニフェストファイルから取得されるとき、それは、ユーザが書籍を通したユーザの進捗において閲覧した最後のページに関連し得る。
【００１３】
補足コンテンツがユーザデバイスにおいて表示されるとき、ユーザは、電子ブックに容易に戻ることを望み得る。ユーザがテキストの部分を選択し、補足コンテンツの検索を開始すると、メディアガイドアプリケーションは、電子ブックファイル内のテキスト部分の場所を捕捉し、ページへのブックマークを作成し、電子ブックファイルのためにユーザと関連してブックマークを記憶し得る。電子ブックのブックマークは、電子ブック読み取りデバイス上のキャッシュおよび／またはユーザのためのデータベースに記憶され得る。そのようなデータベースは、ユーザ読書履歴情報を含み、ユーザプロファイル情報へのアクセスを有し得る。ユーザが電子ブックに戻ることを促進するために、補足コンテンツは、電子ブックに戻る選択可能オプションを伴って表示され得る。特に、ユーザがテキスト部分を選択して補足コンテンツを見出した電子ブックにおける点まで。電子ブックのブックマークは、この場所を識別するために使用され得る。または、いくつかのシナリオでは、ユーザは、読者が読んだ書籍における最後の点に戻ることを望み得る。
【００１４】
別の例では、補足コンテンツは、検索クエリを使用して、電子ブックのために見出され得、それは、次いで、電子ブックファイル、特に、電子ブックのためのマニフェストファイルからの情報を使用して、フィルタ処理される。実施形態において、電子ブックにおけるテキストの部分を選択する第１のユーザ入力が、ユーザデバイスにおいて受信される。ユーザは、タッチスクリーンタブレット上のテキスト部分に触れることによって、または読み取りデバイス上のマウス、ローラ、キーボード、または他の入力デバイスを使用することによって等、任意の好適な技法を使用して、テキストの部分を選択し得る。いくつかのシナリオでは、ユーザによって選択されるテキストの部分は、例えば、テキストの部分のためのＥＰＵＢオーバーレイクラスを使用して、電子ブック表示内でハイライトを使用して、識別され得る。テキストの選択された部分は、テキスト部分におけるキーワードを決定するために、メディアガイドアプリケーションを使用して、ユーザデバイスにおいて解析され得る。キーワードは、ユーザデバイス内のメディアガイドアプリケーション制御回路を使用し、選択されたテキスト部分における用語を分析して、決定され得る。例えば、テキストの不変化詞等のいくつかの短い言葉は、検索に含むべき重要な言葉ではないこともあり、メタデータまたは電子ブックのためのマニフェストファイルに含まれる用語は、キーワードとして使用するためのより高い優先順位を与えられ得る。代わりに、いくつかの名詞、動詞、または他の用語が、検索のためにより好適であり得る。
【００１５】
クエリが、決定されたキーワードに基づいて、補足コンテンツを検索するために、メディアガイドアプリケーションを使用して、ユーザデバイスにおいて生成され得る。クエリ内のキーワードは、補足コンテンツを検索するために、メディアガイドアプリケーションを使用して、ネットワークを経由して遠隔データベースに伝送され得る。遠隔データベースは、任意のメディアデータベースであり得、検索は、検索結果を取得するために、２つ以上のメディアデータベースにおいて同時に実施され得る。クエリに合致する検索結果が、遠隔データベースからユーザデバイスにおいて受信され得る。
【００１６】
検索結果は、結果の質を改良し、また、電子ブックファイルからの情報を使用して、検索結果の数を削減するために、メディアガイドアプリケーションによってフィルタ処理され得る。ユーザデバイスは、電子ブックのためのマニフェストファイルを読み出し得る。マニフェストファイルは、例えば、検索クエリを生成するために選択されたテキストの部分に関するタイトルおよびチャプタを含む電子ブックについての情報を含む。ユーザデバイスは、検索結果をフィルタ処理するための基準として自動的に選択することができる。ユーザデバイスは、これらの基準に基づいて、これらの情報（すなわち、マニフェストファイルからのタイトルおよびチャプタ）を検索結果をフィルタ処理することができる。フィルタは、例えば、タイトルおよび／またはチャプタに関連しない検索結果を除去し、タイトルおよび／またはチャプタへのある合致または関連を有する検索結果を残すことができる。基準に基づいて検索結果をフィルタ処理した後、メディアガイドアプリケーションは、基準に合致する検索結果の表示を生成し得る。追加のタイプの基準も、メディアガイドアプリケーションによってマニフェストファイルから取得され得、それらは、検索結果をフィルタ処理するためにも使用され得る。これらの基準のうちのいくつかは、電子ブックのページ番号、行番号、段落番号、場面、電子ブックマーク、または映画バージョンであり得る。マニフェストファイルを使用して基準を自動的に選択することは、選択されたテキストの場所を使用して実施され得る。いくつかのシナリオでは、基準は、読者の場所についての情報を使用して選択され得る。例えば、チャプタ基準が、読者による最後にアクセスされたページ等のユーザの進捗に基づいて、ページを使用して選択され得る。
【００１７】
例では、マニフェストファイル内のページまたはチャプタは、電子ブックに関する読了までの進捗の割合情報を含み得る。マニフェストファイル内のページまたはチャプタは、関連性のある補足コンテンツの検索を増補するために使用され得るチャプタ概要情報およびキーワードを含むメタデータにも関連付けられ得る。チャプタ概要内のそのようなメタデータ情報は、メディアデータベース内のメディアアイテムのためのメタデータと比較するためにも使用され得る。例えば、テレビシリーズのＢｅａｕｔｙ  ａｎｄ  ｔｈｅ  Ｂｅａｓｔのエピソードのためのメタデータは、キーワードまたは選択されたテキスト部分に合致する字幕用語を見出すために検索され得る字幕テキストを含むことができる。別の例では、映画のためのメタデータは、検索クエリ用語に合致させられ得るタグラインおよびキーワードを含むことができる。
【００１８】
いくつかのシナリオでは、表示画面内の電子ブックテキストの部分の選択は、メディアガイドアプリケーションによって受信され得、補足コンテンツが、自動的にユーザのデバイス上で表示のために生成されるであろう。他のシナリオでは、電子ブックテキストの部分の選択は、メディアガイドアプリケーションによって受信され得、２つ以上の関連補足コンテンツアイテムに関する検索結果が、ユーザが選択するために表示され得る。
【００１９】
ユーザは、表示内の検索結果のうちの１つを選択し得、メディアガイドアプリケーションは、選択された検索結果に対応する補足コンテンツアイテムの表示を生成するであろう。例えば、ユーザは、検索結果のリストから映画またはテレビエピソードを選択し得、メディアガイドアプリケーションは、メディアソースから選択されたメディアアイテムを要求することによって、選択されたメディアアイテムの表示を生成するであろう。
【００２０】
いくつかのシナリオでは、補足コンテンツは、コンテンツを第２のユーザデバイスと共有するオプションを伴って表示され得る。そのようなオプションは、補足コンテンツの表示に含まれ、および／または、検索結果とともに含まれ得る。そのようなオプションは、ユーザが補足コンテンツのためのクエリまたは要求を開始するときにも提供され得る。ユーザが補足コンテンツを別のユーザデバイスと共有するためのオプションを選択する場合、補足コンテンツは、次いで、共有され、メディアガイドアプリケーションによって他方のユーザデバイス上で表示され得る。補足コンテンツを別のデバイスと共有することに先立って、メディアガイドアプリケーションは、補足コンテンツが他方のデバイス上で表示され得ることをチェックし得る。例えば、第２のデバイスは、子供のものであるか、または、いくつかのコンテンツアクセス制限を有し得る。そのような場合、メディアガイドアプリケーションは、補足コンテンツが好適であり、第２のデバイスのために設定された要件または制御を満たすことを確実にし得る。別の状況では、補足コンテンツにアクセスするためのサブスクリプション要件が存在し得る。第２のデバイスが、あるメディアソースへのアクセスを有していないと決定される場合、補足コンテンツは、サブスクライバが制限した場合、第２のデバイス上に表示されないこともある。代替として、ユーザは、例えば、サブスクライバが限定したソースにアクセスすること、アクセス制限を放棄すること等によって制限を修正するためのオプションを示され得る。
【００２１】
いくつかの例では、補足コンテンツの利用可能性が、電子ブック表示内に示され得る。そのような例では、補足コンテンツに関連する電子ブックにおける文が、ハイライトされるか、または、可視様式で示され得る。ハイライトは、補足コンテンツのオーバーレイクラス内でインジケータとしての役割を果たす文のためのＥＰＵＢオーバーレイクラスを使用して、達成され得る。別の例では、電子ブックテキストは、選択されると、電子ブックのための補足コンテンツがユーザデバイス上に表示されるようにする電子ブック表示内の選択可能インジケータを伴って示され得る。
【００２２】
補足コンテンツは、ユーザが電子ブックを閲覧するために使用している読み取りデバイス上に表示され得る。読者が補足コンテンツを閲覧した後、電子ブックに容易に戻ることを望み得るので、補足コンテンツ表示は、電子ブックテキストに戻る選択可能オプションを含み得る。いくつかのシナリオでは、選択可能オプションは、読者が検索クエリを生成するために使用されるテキストの選択された部分に戻ることを可能にするであろう。他のシナリオでは、選択可能オプションは、選択されると、読者に電子ブック内で読者がアクセスした最後のページに戻らせるであろう。
【００２３】
いくつかのシナリオでは、補足コンテンツは、ユーザが電子ブックファイルにアクセスするとき、検索および識別され得る。例えば、ユーザは、電子ブック店から電子ブックを購入すること、友人またはライブラリからそれを借りること、または他のソースによって、電子ブックファイルにアクセスし得る。電子ブックのための電子ブックファイルは、ユーザのために好適なデバイスに配信され得る。メディアガイドアプリケーションは、ユーザデバイス上で起動し、電子ブックファイルおよびユーザ選好情報へのアクセスを有し得る。いくつかの例では、メディアガイドアプリケーションは、ファイルが配信されるとき、アクセスされるとき、または、別様にユーザに関連付けられたとき、電子ブックのための補足コンテンツの検索を実施し得る。例えば、ユーザが書籍についてソーシャルメディア内でタグ付けされる場合、そのようなタグ付けは、メディアガイドアプリケーションによって検出され得、そのような電子ブック関連性は、メディアガイドにユーザのための補足コンテンツの検索を実施させ得る。別の例では、メディアガイドアプリケーションは、ユーザがユーザのライブラリアカウントで電子ブックを予約したとき、ユーザのための補足コンテンツを検索し得る。別の例では、メディアガイドアプリケーションは、ユーザが電子ブックを購入するとき、または、それをデバイスにダウンロードするとき、またはメディアガイドアプリケーションによって検出可能である電子ブックをユーザに接続する他のアクションを行うとき、電子ブックのための補足コンテンツの検索を実施し得る。
【００２４】
メディアガイドアプリケーションが電子ブックのための補足コンテンツ検索を実施するとき、メディアガイドアプリケーションは、電子ブックファイルからのキーワードを使用して、補足コンテンツのための検索クエリを形成し得る。例えば、メディアガイドアプリケーションは、電子ブックファイル内のチャプタ概要または注釈からのキーワードを使用し得る。いくつかの例では、キーワードは、電子ブックファイル内の電子ブックに関連付けられたメタデータから取得され得る。他の例では、クエリ用語は、電子ブックのためのマニフェストファイルからのキーワードまたは基準を含むこともできる。いくつかの例では、キーワードは、書籍レビュー、書籍ブログ、書籍販売者情報、または他のソースのデータベース等の第三者書籍関連データベースから取得され得る。メディアガイドアプリケーションは、電子ブックに関連する補足コンテンツに関してメディアソースを検索し得る。検索で識別される補足コンテンツアイテムへのリンクは、電子ブックファイル内、例えば、電子ブックのためのメタデータ内の書籍テキストの関連性のある部分に関連して、記憶され得る。電子ブックがデバイス内の表示のためにレンダリングされるとき、電子ブックのための制御回路は、電子ブックのためのメタデータ情報を読み出し、電子ブックテキストの部分が読者によってアクセスされ得る関連補足コンテンツを有することを明確にする様式で、電子ブックテキストを表示し得る。例えば、書籍におけるテキスト部分は、ユーザが関連付けられるコンテンツがあることを分かり得るように、独特の様式で表示され得るタグラインを含み得る。書籍Ｂｅａｕｔｙ  ａｎｄ  ｔｈｅ  Ｂｅａｓｔでは、例えば、タグライン「ｂｅ  ｏｕｒ  ｇｕｅｓｔ」は、それがＢｅａｕｔｙ  ａｎｄ  ｔｈｅ  Ｂｅａｓｔの映画化からの楽曲の演出の音楽ビデオ等の補足コンテンツを取得するために選択されることができることをユーザが把握し得るように、独特のフォーマットで表示され得る。
【００２５】
一般的に言えば、メディアガイドアプリケーションは、電子ブックテキストに示されるリンクが適時かつ関連性があるように、周期的基準で補足コンテンツの検索を更新し得る。いくつかのシナリオでは、メディアガイドアプリケーションは、ユーザ選好情報を使用し、ユーザのための好適な補足コンテンツを識別するであろう。したがって、2人以上のユーザによってアクセスされるデバイス、例えば、家族のタブレット上に記憶された電子ブックファイルが、読者のユーザプロファイルおよび読者のためのコンテンツアクセス制限に基づいて、異なるハイライトされた部分または異なるタイプの関連補足コンテンツのへのリンクを伴って、表示され得る。
【００２６】
いくつかのシナリオでは、補足コンテンツの検索は、電子ブックファイル内のテキストを補足コンテンツに接続するデータベースを構築するために、ユーザに特に焦点を合わせることなく、任意の電子ブックファイルに関してメディアガイドアプリケーションによって実施され得る。焦点を特定の書籍または特定のユーザに限定することなく、電子ブックのためのこれらの補足コンテンツリンクを識別することは、処理および記憶容量を若干無駄にし得るが、この情報は、補足コンテンツリンクをユーザに迅速に提供するために、メディアガイドアプリケーションによってアクセスされることができる。そのようなデータベースは、補足コンテンツへのリンクを伴って周期的に更新されることができる。ユーザが電子ブックファイルにアクセスするとき、メディアガイドアプリケーションは、電子ブックのためのデータベース情報を使用し、電子ブックファイルの表示内でリンクを追加することができる。理想的に、このシナリオでは、メディアガイドアプリケーションは、電子ブックのリーダの表示に示される補足コンテンツへのリンクにおける読者のユーザプロファイルに基づいて、補足コンテンツリンクの選定を精緻化するであろう。
【００２７】
いくつかの例では、電子ブックのテキストは、補足コンテンツを取得するための２つ以上の方法を用いて表示され得る。例えば、電子ブックのテキストは、概して、表示されたページに関連付けられた補足コンテンツにつながり得るページ上の選択可能オプションを含み得る。同じ表示画面内で、電子ブックテキストは、独特の様式で表示されるテキスト内に、ある言葉または画像を有し得、それは、関連付けられる補足コンテンツを有することを暗示する。そのような独特の言葉または画像が選択されると、メディアガイドアプリケーションは、言葉または画像に関連付けられた補足コンテンツを読み出し得る。同じ表示画面内で、テキストにおける用語は、読者によって選択され、補足コンテンツのためのクエリの基礎を形成するために使用され得る。テキスト用語の選択は、メディアガイドアプリケーションに、選択されたテキスト内でキーワードを識別させ、電子ブックのためのマニフェストファイルから場所および書籍タイトル情報も識別させ、補足コンテンツのための検索クエリを形成させ得る。このようにしてコンテンツを検索することは、読者にとって時間がかかり得るが、しかしながら、読者は、選択された用語に関連する検索のために特定の焦点を念頭に置き得る。
【００２８】
上で説明されるシステム、方法、装置、および／または側面は、本開示に説明される他のシステム、方法、装置、および／または側面に適用され、またはそれに従って使用され得ることに留意されたい。
【図面の簡単な説明】
【００２９】
本開示の上記および他の目的ならびに利点は、同様の参照文字が全体を通して同様の部分を指す、添付の図面と併せて考慮される、以下の発明を実施するための形態の検討から明白となるであろう。
【００３０】
【図１】図１−４は、本開示のいくつかの実施形態による電子ブックのための表示画面の例証的例を示す。
【図２】図１−４は、本開示のいくつかの実施形態による電子ブックのための表示画面の例証的例を示す。
【図３】図１−４は、本開示のいくつかの実施形態による電子ブックのための表示画面の例証的例を示す。
【図４】図１−４は、本開示のいくつかの実施形態による電子ブックのための表示画面の例証的例を示す。
【００３１】
【図５】図５は、本開示のいくつかの実施形態による表示画面内の検索結果の例証的例を示す。
【００３２】
【図６】図６は、本開示のいくつかの実施形態による補足コンテンツの表示の例証的例を示す。
【００３３】
【図７】図７は、本開示のいくつかの実施形態による補足コンテンツを示す電子ブックおよび第２のデバイスのための表示画面の例証的例を示す。
【００３４】
【図８】図８は、本開示のいくつかの実施形態による電子ブックデータファイルのブロック図である。
【００３５】
【図９】図９−１０は、本開示のいくつかの実施形態によるメディアガイドアプリケーションによって生成される表示画面の他の例証的例を示す。
【図１０】図９−１０は、本開示のいくつかの実施形態によるメディアガイドアプリケーションによって生成される表示画面の他の例証的例を示す。
【００３６】
【図１１】図１１は、本開示のいくつかの実施形態による例証的ユーザ機器デバイスのブロック図である。
【００３７】
【図１２】図１２は、本開示のいくつかの実施形態による例証的メディアシステムのブロック図である。
【００３８】
【図１３】図１３−１４は、本開示のいくつかの実施形態による電子ブックのための補足コンテンツを検索するための例証的プロセスのフローチャートである。
【図１４】図１３−１４は、本開示のいくつかの実施形態による電子ブックのための補足コンテンツを検索するための例証的プロセスのフローチャートである。
【００３９】
【図１５】図１５は、本開示のいくつかの実施形態による電子ブックのための補足コンテンツのリストを生成するための例証的プロセスのフローチャートである。
【００４０】
【図１６】図１６−１７は、本開示のいくつかの実施形態による電子ブックのための補足コンテンツを検索するための例証的プロセスのフローチャートである。
【図１７】図１６−１７は、本開示のいくつかの実施形態による電子ブックのための補足コンテンツを検索するための例証的プロセスのフローチャートである。
【図１７−１】図１６−１７は、本開示のいくつかの実施形態による電子ブックのための補足コンテンツを検索するための例証的プロセスのフローチャートである。
【発明を実施するための形態】
【００４１】
システムおよび方法が、電子書籍または電子ブックのための補足コンテンツを検索するために説明される。電子デバイス上で読書することは、今では普通である。電子ブックリーダは、今では、多くの場合、ソフトウェアアプリケーションを起動し、異なるタイプのメディアを示すそれらの能力において、電子タブレットと区別できない。かつて、読書することは、単純であった。しかし、今では、メディアが電子デバイスに混在することを所与として、読者は、電子ブックテキストにおける用語をクリックすることによって、辞書における用語を容易に調べ、書籍についての書籍レビューを見出すことができる。読者は、電子ブックのための関連または補足コンテンツにアクセスすることによって、その読書体験を向上させることを望み得る。例えば、読者は、電子ブックの映画化を鑑賞すること、映画化のクリップを視聴すること、電子ブックにおいて出現するタグラインを有する楽曲の音楽ビデオを視聴することを望み得る。読者は、例えば、映画化を友人または家族の画面と共有することによって、電子ブック体験を共有することも望み得る。別の例では、読者は、映画化の楽譜を聞き、読者を書籍に関するオーディオ体験で包囲することを望み得る。
【００４２】
従来の電子ブック表示画面が、図１に示される。示されるように、電子ブックデバイス１００は、Ｂｅａｕｔｙ  ａｎｄ  ｔｈｅ  Ｂｅａｓｔの絵本のための電子ブック表示を含み、それは、電子ブックに関するタイトル１１０、著者１２０、ページ番号１３０、およびテキスト１４０を示す。画面における配置は、例証にすぎず、示される要素のうちのいくつかは、省略され得、テキスト１４０およびタイトル１１０のみが示されるか、または、書籍要素のある組み合わせが示される。加えて、書籍は、テキスト１４０に関連し得る書籍のための背景画像および絵を含み得る。
【００４３】
別の電子ブック表示画面２００が、図１に示されるものと同じ書籍に関して、図２に示される。例えば、タイトル２１０、著者２２０、およびページ２３０情報が、電子ブック表示２００内に示される。電子ブックに関するテキスト２４０が、いくつかの追加の拡張を伴って示される。例えば、語句「Ｔｈｅ  Ｂｅａｓｔ」が、太字で示される。ボックス２５０は、読者によって選択されたテキスト２４０における語句「ｂｅ  ｏｕｒ  ｇｕｅｓｔ」をハイライトする。関連コンテンツに関する選択可能オプション２６０も示されている。語句「Ｔｈｅ  Ｂｅａｓｔ」は、その重要性を表すために、メディアガイドアプリケーションによって識別された関連付けられる関連コンテンツのソースまたはタイプを描写するためにも、太字で示される。電子ブックにおけるハイライトされた語句または用語は、異なるタイプのメディアが語句に関連付けられ得ることがユーザに分かることが可能なように、いくつかの方法で描写されることができる。例えば、異なる色またはテキストスタイルが、関連映画、テレビ番組、ビデオクリップ、ニュース記事、ブログ解説、ソーシャルネットワークチャネル、ユーザが生成したビデオ解説等が存在し得ることを表すために、使用され得る。ハイライトされた語句は、異なる理由により、重要であり得る。いくつかの例では、ハイライトされた語句は、それがある関連コンテンツを有し、語句が選択された場合、語句についてのある追加のコンテンツがアクセス可能であることを示し得る。ハイライトを伴って示される電子ブックファイル内の言葉は、電子ブックマニフェストファイルからのテキストについて情報を使用し、かつ電子ブックのためのメタデータを使用するメディアガイドアプリケーションによる好適な様式での表示のために選択されることができる。例えば、メディアガイドアプリケーションは、メディアデータベースから電子ブックのための補足コンテンツについての詳細を読み出し、補足コンテンツアイテムを電子ブックのためのマニフェストファイルからの電子ブックテキスト情報と合致させることによって、電子ブックにおいてハイライトすべき用語を識別し得る。
【００４４】
電子ブックテキスト表示におけるハイライトされた用語に関連付けられた補足コンテンツは、映画等の任意のタイプのメディアコンテンツ、登場人物についての画像または情報、語句についての定義または注釈、または他の情報であり得る。ハイライトされた語句２５０は、ハイライト内の語句の重要性も示し得る。ハイライトは、例えば、ＥＰＵＢファイルのためのオーバーレイクラスを使用して、作成され得る。
【００４５】
ハイライトされた語句２５０は、補足コンテンツのためのクエリを生成するために読者によってハイライトされたテキストを表すために、使用され得る。メディアガイドアプリケーションは、タッチスクリーンまたはキーボード等のユーザ入力技法を使用して、テキストの部分２５０のユーザ選択を受信し得る。部分２５０の選択は、メディアガイドアプリケーションによって受信され、電子ブック（特に、電子ブックの選択された部分）に関連するコンテンツを検索するためのクエリの基礎を形成するために使用され得る。
【００４６】
選択可能オプション２６０は、電子ブックのための関連コンテンツにアクセスするための別の方法であり得る。あるページからオプション２６０のユーザ選択を受信することに応答して、補足コンテンツのためのクエリを作成するように、メディアガイドアプリケーションに命令し得、クエリは、電子ブック表示内のオプション２６０の場所についての詳細を含む。例えば、テレビエピソードのシリーズに改作された書籍では、電子ブックテキストのためのマニフェストファイルは、書籍におけるユーザの進捗を示し得るページ番号またはチャプタ番号を含み得、それは、テレビエピソードのシリーズにおける特定のテレビエピソードに関連し得る。特定のエピソードが、いくつかの方法で関連性のある補足コンテンツであるとして識別され得る。例えば、シリーズのエピソードのためのメタデータが、キーワードに合致する説明情報を見出すために検索され得る。別の例では、シリーズのエピソードのための字幕データが、キーワードの使用の実例を見出すために使用され得る。別の例では、読了した電子ブックテキストの割合（マニフェストファイルから取得され得る）が、エピソードのシリーズの進捗にほぼ互いに関係し得る。さらに別の例では、テレビエピソードのシリーズに関連付けられたユーザが生成した解説が、キーワードおよびチャプタ進捗に合致する用語を見出すために検索され得る。書籍のあるページからオプション２６０を選択することが、エピソードのうちの１つにつながり得る一方で、書籍の別のページからオプション２６０を選択することは、テレビシリーズのエピソードのうちの別のものにつながり得る。別の例では、オプション２６０を選択することは、２つ以上の補足コンテンツアイテムの表示につながり得る。いくつかの例では、選択可能オプション２６０は、読者に表示されている電子ブックページに関連性があるとしてメディアガイドアプリケーションによって識別された特定の補足コンテンツにリンクされ得る。補足コンテンツリンクは、メディアガイドアプリケーションによって、電子ブックファイルのためのメタデータまたは遠隔電子ブックデータベースに記憶され得る。そのようなリンクは、メディアガイドアプリケーションによって周期的に更新され得る。
【００４７】
図３および４も、電子ブック表示の例証的描写である。図３では、電子ブックデバイス３００は、Ｂｅａｕｔｙ  ａｎｄ  ｔｈｅ  Ｂｅａｓｔに基づく物語であるＢｅａｓｔｌｙ  Ｋｅｎｄｒａ  Ｃｈｒｏｎｉｃｌｅｓの表示、および書籍タイトル３１０、著者３２０、ページ番号３３０、および電子ブックテキスト３４０を含む表示を示す。同じ電子ブックテキストが、電子ブックテキストに関連する補足コンテンツを検索するための追加の特徴を伴って図４に示される。示されるように、図４では、電子ブック表示４００は、タイトル４１０、著者４２０、ページ番号４３０、チャプタ４３５、および電子ブックテキスト４４０を含む。テキスト４４０のハイライトされた部分４５０が、電子ブックにおけるテキストに関して示され、それは、読者によって選択されている。部分４５０の選択は、読者または電子デバイスにおけるメディアガイドアプリケーションによって受信され、電子ブックに関連する（特に、電子ブックの選択された部分に関連する）コンテンツを検索するためのクエリの基礎を作成するために、使用され得る。電子ブックに関連する補足コンテンツは、オプション４６０を選択することによっても、独特の様式で示される電子ブック表示におけるあるテキストを選択することによっても（例えば、ある関連コンテンツを有することを示すためにハイライトされた「Ｔｈｅ  Ｂｅａｓｔ」を選択することによっても）取得され得る。「Ｔｈｅ  Ｂｅａｓｔ」は、独特の様式でハイライトされ、それがあるソースまたは特定のタイプのソース（映画またはビデオクリップ、またはソーシャルネットワークチャネル、またはユーザが生成した解説等）からの補足コンテンツを有することを示し得る。書籍のあるページまたは書籍のあるチャプタからオプション４６０を選択することは、オプション４６０が選択された電子ブックにおける場所に応じて、異なる関連コンテンツにつながり得る。テキストを通した進捗についての情報が、電子ブックファイルのためのマニフェストファイルから判別され、好適な補足コンテンツを見出すために使用され得る。
【００４８】
テキストの選択された部分２５０（図２）および４５０（図４）は、電子ブックからの１つ以上の用語を含み得る。選択された用語は、補足コンテンツのための検索クエリにおいて使用すべき１つ以上のキーワードを見出すために、電子ブックリーダ上で起動するメディアガイドアプリケーションによって解析され得る。例えば、４５０（図４）からの選択された部分「ｔｈｅｒｅ  ｗａｓ  ｍｙ  ｂｅａｓｔ  ｆａｃｅ  ｏｎｃｅ  ａｇａｉｎ」が、名詞である「ｂｅａｓｔ  ｆａｃｅ」のためのキーワードを生じさせ得る一方で、不変化詞「ｍｙ」は、それが検索においてあまりに多くの合致を有し得る発話の不変化詞であるので、検索クエリから除外され得る。同様に、用語「ｏｎｃｅ」および「ｇａｉｎ」は、副詞であり、有用な検索結果を生じさせないこともあるので、それらも、検索クエリから除外され得る。そのようなクエリは、ユーザからの選択された用語の受信時、または、メディアガイドアプリケーションが電子ブックと補足コンテンツとの間のリンクを識別するために電子ブックテキストを全体的に解析するとき、メディアガイドアプリケーションによって実施され得る。
【００４９】
補足コンテンツのためのクエリが、例えば、ボタン２６０（図２）または４６０（図４）を使用した関連コンテンツに関するオプションの選択を受信することによって、または、テキスト２５０または４５０（それぞれ、図２および４）の部分の選択によって、または関連コンテンツを有するとして指定されるテキスト部分の選択によって、メディアガイドアプリケーションを使用して作成されると、メディアコンテンツの遠隔データベースが、補足コンテンツ、または補足コンテンツへの所定のリンクに関して検索され得る。遠隔データベースは、ホームネットワーク（例えば、ＬＡＮ）またはインターネットを介してメディアガイドアプリケーションからアクセス可能である電子ブックまたはメディアデータベースであり得る。検索は、検索結果を取得するために、１つ以上のメディアデータベースにおいてメディアガイドアプリケーションによって実施され得る。検索クエリは、選択されたテキストのみならず、電子ブックについての情報、特に、電子ブックにおける場所も使用して、作成され得る。
【００５０】
電子ブックのためのマニフェストファイルが、ユーザデバイス上で起動するメディアガイドアプリケーションによって受信され得、マニフェストファイルは、電子ブックテキストの全て、追加のメタデータ、および電子ブックのための配置情報を含み得る。１つの一般的なファイルタイプは、ファイルコンテンツおよびマニフェストファイルコンテンツのための規格を設定するＥＰＵＢファイルである。他のタイプの電子ブックファイルタイプは、類似規格および要件を有し得、それらも、本明細書に説明される特徴および機能性を実施するために使用され得る。マニフェストファイル情報が、検索クエリを形成するために使用されることができ、特に、検索クエリを開始するために使用される選択されたテキストのための場所情報が、検索クエリにおいて使用されることができる。例えば、テキスト部分が位置する電子ブックページのチャプタまたは場所が、検索クエリに追加されるか、または、結果が電子ブックの物語の進捗の特定の点に焦点を合わせられるように、検索結果をフィルタ処理するために使用され得る。別の例では、電子ブックのタイトルが、検索クエリが書籍の文脈で焦点を合わせられるように、検索クエリに追加するためにマニフェストタイトルから取り出され得る。電子ブックについての他の詳細も、検索クエリに追加するために、または検索結果をフィルタ処理するために使用されるために、マニフェストファイルから取り出され得る。
【００５１】
検索クエリに関する検索結果は、単一の関連補足コンテンツアイテムを生じさせ得、それは、次いで、メディアガイドアプリケーションによってユーザデバイス上で自動的に表示され得る。いくつかの例では、検索クエリに関する複数の検索結果が、例えば、図５に示されるように提示され得、それは、ユーザデバイス５００と、５つの検索結果５１０、５２０、５３０、５４０、および５５０とを描写する。ユーザデバイス５００は、電子ブックリーダ、例えば、１００、２００、３００、または４００（図１−４）に関して前述で使用された同じユーザデバイスであり得る。代替として、検索結果は、別の別個のユーザデバイス上に提示され得る。全てがＢｅａｕｔｙ  ａｎｄ  ｔｈｅ  Ｂｅａｓｔに関連する検索結果５１０、５２０、５３０、および５４０は、異なる年に作成された映画の異なるバージョンである。Ｂｅａｓｔｌｙ  Ｋｅｎｄｒａ  Ｃｈｒｏｎｉｃｌｅｓである４５０（図４）から生成される検索に関して、Ｂｅａｓｔｌｙの映画に関する検索結果５３０、またはテレビシリーズＢｅａｕｔｙ  ａｎｄ  ｔｈｅ  Ｂｅａｓｔのエピソードに関する検索結果５２０は、特に関連性があり得る。絵本Ｂｅａｕｔｙ  ａｎｄ  ｔｈｅ  Ｂｅａｓｔからの２５０（図２）から生成される検索は、検索結果５５０、１９８４年の漫画作品であるＢｅａｕｔｙ  ａｎｄ  ｔｈｅ  Ｂｅａｓｔ、または、検索結果５１０におけるより近年の２０１７年のＤｉｓｎｅｙ作品を生じさせ得る。これらの検索結果の各々は、選択され、電子ブックのためのマニフェストファイルからのバージョン情報および他の詳細を使用して、リスト内でランク付けされ得る。図５の結果は、年代順に示されるが、結果は、関連性、ユーザ選好、または他の順序付けに従って示され得る。
【００５２】
図２（書籍Ｂｅａｕｔｙ  ａｎｄ  ｔｈｅ  Ｂｅａｓｔの子供向けバージョン）、および図４（Ｂｅａｕｔｙ  ａｎｄ  ｔｈｅ  Ｂｅａｓｔに大まかに基づく若者向け書籍）に示される電子ブックの各々は、補足コンテンツを関連付けることに関連性があり得る書籍についての情報を参照するマニフェストファイルデータおよびメタデータを有し得る。例えば、若者向け書籍は、それが子供の書籍ではないことを示す年齢グループカテゴリを含み得る。したがって、図４のＢｅａｓｔｌｙ  Ｋｅｎｄｒａ  Ｃｈｒｏｎｉｃｌｅｓから生じるコンテンツの検索は、Ｂｅａｕｔｙ  ａｎｄ  ｔｈｅ  Ｂｅａｓｔの漫画化に関する合致する結果を生じさせないこともある。当然ながら、メディアガイドアプリケーションが、読者のユーザプロファイルが漫画を鑑賞することの履歴を有することを決定する場合、そのような漫画化が、含まれ得る。Ｂｅａｓｔｌｙ  Ｋｅｎｄｒａ  Ｃｈｒｏｎｉｃｌｅｓの電子ブックテキスト内で開始される検索は、書籍のためのメタデータが、書籍が古い物語の大まかな改作であることを含むであろうから、Ｂｅａｕｔｙ  ａｎｄ  ｔｈｅ  Ｂｅａｓｔ関連結果も含み得る。
【００５３】
別の例では、子供の書籍も、それが子供の書籍であることを示す年齢グループカテゴリを含み得る。したがって、子供の書籍バージョンから生じる補足コンテンツの検索は、テレビシリーズと同じタイトルを有する子供の書籍にもかかわらず、ＴＶ−１４のテレビレーティングを有し、コンテンツに関する保護者の指導を有するテレビシリーズＢｅａｕｔｙ  ａｎｄ  ｔｈｅ  Ｂｅａｓｔに関する検索結果を生じさせないであろう。いくつかのシナリオでは、子供の書籍の読者のためのユーザプロファイルがある成人向け題材を含む場合、テレビ番組のエピソードが、結果リスト項目に含まれ得る。
【００５４】
図２または図４のテキストのいずれかからの検索に関して、検索結果および補足コンテンツは、親または子供デバイス上で視聴するオプションを提供され得、それによって、例えば、子供がＢｅａｕｔｙ  ａｎｄ  ｔｈｅ  Ｂｅａｓｔの子供向けバージョンを読んでいる場合、親は、子供と読んだ書籍の進捗に関連するＢｅａｓｔｌｙ  Ｋｅｎｄｒａ  Ｃｈｒｏｎｉｃｌｅｓのエピソードを鑑賞することを望み得る。そのシナリオでは、メディアガイドアプリケーションは、電子ブックテキストにおける選択されたテキストを使用して、マニフェストファイルを使用して、電子ブックテキストにおける読者の場所を決定し、補足コンテンツに関してデータメディアデータベースを検索し、結果の焦点を物語の進捗が重複するエピソードに絞るであろう。物語の時系列または進捗に従って好適なエピソードを見出すことは、読了した書籍の割合を使用して決定されることができ、読了した書籍の割合は、エピソードのための字幕メタデータを使用し、それを電子ブックマニフェストファイルにおけるチャプタまたはチャプタ概要におけるキーワードまたは周辺テキストに合致させること、エピソード要約等のユーザが生成した解説を使用し、そのような解説をチャプタ概要と合致させること、または、他の技法によって行われる。
【００５５】
メディアガイドアプリケーションによる検索結果のユーザ選択（例えば、検索結果５１０）の受信は、例えば、図６に示されるように、補足コンテンツがユーザデバイスに配信されることにつながるあろう。図６は、ユーザデバイス６００を示し、それは、ＤｉｓｎｅｙのＢｅａｕｔｙ  ａｎｄ  ｔｈｅ  Ｂｅａｓｔ６１０を示し、それは、図５の画面からそれぞれの補足コンテンツを選択することによって取得され得る。いくつかのシナリオでは、表示は、電子ブックファイルに戻るオプション６２０を含み得る。オプション６２０の選択は、メディアガイドアプリケーションにリーダの表示を電子ブックテキストに戻らせるであろう。いくつかの例では、オプション６２０の選択は、補足コンテンツのためのクエリを生成するために使用されたテキストの選択された部分の表示に読者が戻ることをメディアガイドアプリケーションに行わせるであろう。別の例では、オプション６２０の選択は、メディアガイドアプリケーションに読者によってアクセスされた最後のページの表示を生成させるであろう。一般に、読者が電子ブックに戻ると、補足コンテンツのための電子ブックテキストにおける視覚合図は、異なり、それによって、ユーザは、そのような補足コンテンツをすでに選択または視聴したことを把握し得る。読者が補足コンテンツにアクセスすると、アクセスは、メディアガイドアプリケーションによってユーザ履歴に記録され得、ユーザ履歴は、そのようなコンテンツへのリンクの表示を異なる様式で生成するために、メディアガイドアプリケーションによって使用され得る。
【００５６】
オプション６２０が選択された場合、図７を参照して、読者は、デバイス７０５内の電子ブックのテキストに戻り、電子ブックテキスト７１０を読み続け得る。読者が補足コンテンツをすでに視聴しているので、関連付けられた補足コンテンツのための視覚合図は、異なって示され得、例えば、「Ｔｈｅ  Ｂｅａｓｔ」は、イタリック体で示される。ユーザは、補足コンテンツを第２のデバイス７１５と共有し、第２のデバイス上で補足コンテンツ７２０を示すためのオプションを有し得る。
【００５７】
電子ブックデータファイル８００の例が、図８に示される。示されるように、データファイルに含まれ得る電子ブックについての詳細のいくつかのコンテナが存在する。マニフェストファイルは、電子ブックファイルコンテンツのための配置情報を含み得る。いくつかの例では、マニフェストファイルは、任意のコンテナにおける電子ブックデータ全体を参照するために使用され得る。電子ブックデータファイル８００は、識別子情報８１０を含み得る。識別子情報８１０は、書籍に関するＩＳＢＮ番号または他の識別子を含み得る。書籍ファイル８００のためのメタデータ８２０は、書籍ファイルデータについてのデータを含むことができ、書籍ファイルデータについての任意の数またはタイプの詳細を含むことができる。ファイルのためのメタデータ８２０は、読者の注釈、出版者の注釈、公衆のコメント等を含むことができる。メタデータ８２０は、タイトル、書籍の説明、書籍のソース、書籍の関係（例えば、一連の書籍における他の書籍に対する、または、映画化、コミック本化等に対する）等の書籍８２５についての他の詳細も含み得る。メタデータ８２０は、書籍対象範囲情報およびコンテンツへの権利も含み得る。メディアガイドアプリケーションは、例えば、電子ブックに関して識別される補足コンテンツへのリンク、特に、電子ブックの特定の部分に関して識別される補足コンテンツへのリンクを含むために、メタデータ８２０のコンテンツを更新することができる。そのようなメタデータは、ユーザプロファイル、ユーザアクセス履歴、メディアサブスクリプション等に基づいて、更新されたリンクおよび最も関連性のあるリンクを含むために、メディアガイドアプリケーションによって周期的に更新され得る。マニフェストファイルデータ８３０は、電子ブックファイルデータの配置についての詳細を含むことができ、電子ブックの表示画面に関連性があるデータをデータファイル８００において識別するために使用されることができる。マニフェストファイル８３０は、書籍のチャプタ、前書き、書籍に関する後書き、および書籍に関する他のコンテンツセクションについての詳細８３５を含む。背表紙８４０のデータは、書籍の背表紙についての情報を含み得る。データファイル８００についての他の詳細も、データベース８５０に記憶されることができる。例えば、ユーザが生成したデータは、データベース８５０に記憶され、電子ブックの他の読者に利用可能にされ得る。ユーザが生成したデータの例は、テキスト部分をハイライトし、それについてコメントすることであり得る。別の例では、読者は、テキスト部分に関連する補足コンテンツを識別し、書籍におけるテキスト部分ハイライトし、補足コンテンツおよび読者にリンクすることをことができる。このリンク付けは、データベース８５０に記憶されることができる。
【００５８】
ユーザデバイス上の電子ブックインターフェースは、ユーザデバイス上でアクセスされる他のタイプのメディアのためのインターフェースと類似性を有し得る。例えば、メディアガイドアプリケーションは、書籍の映画化等の補足コンテンツを提供する同じ方法で、メディアコンテンツを検索および配信する方法を提供し得る。
【００５９】
任意の所与のコンテンツ配信システムでユーザに利用可能なコンテンツの量が、膨大であり得る。その結果、多くのユーザは、ユーザがコンテンツの選択を効率的にナビゲートし、所望し得るコンテンツを容易に識別することを可能にするインターフェースを通したメディアガイドの形態を所望している。そのようなガイドを提供するアプリケーションは、本明細書では、双方向メディアガイドアプリケーションと称されるが、時として、メディアガイドアプリケーションまたはガイドアプリケーションと称されることもある。
【００６０】
双方向メディアガイドアプリケーションは、ガイドを提供するコンテンツに応じて、種々の形態をとり得る。１つの典型的なタイプのメディアガイドアプリケーションは、双方向テレビ番組ガイドである。双方向テレビ番組ガイド（時として、電子番組ガイドと称される）は、とりわけ、ユーザが、多くのタイプのコンテンツまたはメディアアセット間をナビゲートし、それを見つけることを可能にする周知のガイドアプリケーションである。双方向メディアガイドアプリケーションは、ユーザが、コンテンツ間をナビゲートし、それを見つけ、選択することを可能にするグラフィカルユーザインターフェース画面を生成し得る。本明細書で参照されるように、用語「メディアアセット」および「コンテンツ」は、テレビ番組、有料番組、オンデマンド番組（ビデオオンデマンド（ＶＯＤ）システムにおけるような）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、再生リスト項目、ウェブサイト、記事、書籍、電子書籍、ブログ、チャットセッション、ソーシャルメディア、アプリケーション、ゲーム、および／または任意の他のメディアまたはマルチメディア、および／またはそれらの組み合わせ等の電子的に消費可能なユーザアセットを意味すると理解されたい。ガイドアプリケーションは、ユーザが、コンテンツ間をナビゲートし、それを見つけることも可能にする。本明細書で参照されるように、用語「マルチメディア」は、上で説明される少なくとも２つの異なるコンテンツ形態、例えば、テキスト、オーディオ、画像、ビデオ、または双方向コンテンツ形態を利用するコンテンツを意味すると理解されたい。コンテンツは、ユーザ機器デバイスによって、録画、再生、表示、またはアクセスされ得るが、ライブパーフォーマンスの一部であることもできる。
【００６１】
本明細書に議論される実施形態のいずれかを実施するためのメディアガイドアプリケーションおよび／または任意の命令は、コンピュータ読み取り可能な媒体上にエンコードされ得る。コンピュータ読み取り可能な媒体は、データを記憶することが可能な任意の媒体を含む。コンピュータ読み取り可能な媒体は、限定ではないが、電気または電磁信号の伝搬を含む一過性であり得るか、または、限定ではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む非一過性であり得る。
【００６２】
インターネット、モバイルコンピューティング、および高速無線ネットワークの出現に伴って、ユーザは、従来使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、電子ブックリーダ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、または無線デバイス、および／または、それらの組み合わせ等の上で説明されるコンテンツにアクセスするための任意のデバイスを意味すると理解されたい。いくつかの実施形態において、ユーザ機器デバイスは、正面画面および裏面画面、複数の正面画面、または複数の角度付き画面を有し得る。いくつかの実施形態において、ユーザ機器デバイスは、正面カメラおよび／または裏面カメラを有し得る。これらのユーザ機器デバイス上で、ユーザは、テレビを通して利用可能な同じコンテンツ間をナビゲートし、それを見つけることが可能であり得る。その結果として、メディアガイドは、これらのデバイス上でも利用可能であり得る。提供されるガイドは、テレビのみを通して利用可能なコンテンツ、他のタイプのユーザ機器デバイスのうちの１つ以上のもののみを通して利用可能なコンテンツ、またはテレビおよび他のタイプのユーザ機器デバイスのうちの１つ以上のものの両方を通して利用可能なコンテンツのためのものであり得る。メディアガイドアプリケーションは、ユーザ機器デバイス上で、オンラインアプリケーション（すなわち、ウェブサイト上で提供される）として、または独立型アプリケーションまたはクライアントとして提供され得る。メディアガイドアプリケーションを実装し得る種々のデバイスおよびプラットフォームは、下でより詳細に説明される。
【００６３】
メディアガイドアプリケーションの機能のうちの１つは、メディアガイドデータをユーザに提供することである。本明細書で参照されるように、語句「メディアガイドデータ」または「ガイドデータ」は、コンテンツに関連する任意のデータまたはガイドアプリケーションを動作させることにおいて使用されるデータを意味すると理解されたい。例えば、ガイドデータは、番組情報、ガイドアプリケーション設定、ユーザ選好、ユーザプロファイル情報、メディアリスト項目、メディア関連情報（例えば、放送時間、放送チャネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、オンデマンド情報、ブログ、ウェブサイト、およびユーザが所望されるコンテンツ選択間をナビゲートし、それを見つけるために役立つ任意の他のタイプのガイドデータを含み得る。
【００６４】
図９−１０は、メディアガイドデータを提供するために使用され得る例証的表示画面を示す。図９−１０に示される表示画面は、任意の好適なユーザ機器デバイスまたはプラットフォーム上に実装され得る。図９−１０の表示は、フル画面表示として図示されているが、それらは、表示されているコンテンツ上にも完全に、または部分的にオーバーレイされ得る。ユーザは、表示画面に提供された選択可能オプション（例えば、メニューオプション、リスト項目オプション、アイコン、ハイパーリンク等）を選択することによって、またはリモートコントロールまたは他のユーザ入力インターフェースまたはデバイス上の専用ボタン（例えば、「ガイド」ボタン）を押すことによって、コンテンツ情報にアクセスする要望を示し得る。ユーザの指示に応答して、メディアガイドアプリケーションは、グリッド内の時間およびチャネル別、時間別、チャネル別、ソース別、コンテンツタイプ別、カテゴリ別（例えば、映画、スポーツ、ニュース、子供向け、または他の番組カテゴリ）、または他の所定、ユーザ定義、または他の編成基準等のいくつかの方法のうちの１つにおいて編成されたメディアガイドデータを表示画面に提供し得る。
【００６５】
図９は、単一表示内の異なるタイプのコンテンツへのアクセスも可能にする時間およびチャネル別に配置された番組リスト項目表示９００の例証的グリッドを示す。表示９００は、以下を伴うグリッド９０２を含み得る：（１）各チャネル／コンテンツタイプ識別子（列内のセル）が利用可能な異なるチャネルまたはコンテンツのタイプを識別するチャネル／コンテンツタイプ識別子９０４の列、および、（２）各時間識別子（行内のセル）が番組の時間帯を識別する時間識別子９０６の行。グリッド９０２はまた、番組リスト項目９０８等の番組リスト項目のセルも含み、各リスト項目は、リスト項目の関連チャネルおよび時間の上に提供される番組のタイトルを提供する。ユーザ入力デバイスを用いて、ユーザは、ハイライト領域９１０を移動させることによって番組リスト項目を選択することができる。ハイライト領域９１０によって選択される番組リスト項目に関する情報が、番組情報領域９１２内に提供され得る。領域９１２は、例えば、番組タイトル、番組内容、番組が提供される時間（該当する場合）、番組が放送されるチャネル（該当する場合）、番組の評価、および他の所望の情報を含み得る。
【００６６】
線形番組（例えば、所定の時間に複数のユーザ機器デバイスに伝送されるようにスケジュールされ、スケジュールに従って提供されるコンテンツ）にアクセスを提供することに加えて、メディアガイドアプリケーションは、非線形番組（例えば、任意の時間においてユーザ機器デバイスにアクセス可能であり、スケジュールに従って提供されないコンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルで記憶されたコンテンツ（例えば、上で説明される任意のユーザ機器デバイスまたは他の記憶デバイス上に記憶されたコンテンツ）、または時間的制約のない他のコンテンツを含む異なるコンテンツソースからのコンテンツを含み得る。オンデマンドコンテンツは、特定のコンテンツプロバイダ（例えば、「Ｔｈｅ  Ｓｏｐｒａｎｏｓ」や「Ｃｕｒｂ  Ｙｏｕｒ  Ｅｎｔｈｕｓｉａｓｍ」を提供するＨＢＯ  Ｏｎ  Ｄｅｍａｎｄ）によって提供される映画または任意の他のコンテンツを含み得る。ＨＢＯ  ＯＮ  ＤＥＭＡＮＤは、Ｔｉｍｅ  Ｗａｒｎｅｒ  Ｃｏｍｐａｎｙ  Ｌ．  Ｐ．  ｅｔ  ａｌ．によって所有されるサービスマークであり、ＴＨＥ  ＳＯＰＲＡＮＯＳおよびＣＵＲＢ  ＹＯＵＲ  ＥＮＴＨＵＳＩＡＳＭは、Ｈｏｍｅ  Ｂｏｘ  Ｏｆｆｉｃｅ，Ｉｎｃ．によって所有される商標である。インターネットコンテンツは、チャットセッションまたはウェブキャスト等のウェブイベント、またはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含み得る。
【００６７】
グリッド９０２は、オンデマンドリスト項目９１４、録画コンテンツリスト項目９１６、およびインターネットコンテンツリスト項目９１８を含む非線形番組のメディアガイドデータを提供し得る。異なるタイプのコンテンツソースからのコンテンツのためのメディアガイドデータを組み合わせる表示は、時として、「混合メディア」表示と称されることもある。表示９００とは異なる表示され得るメディアガイドデータのタイプの種々の順列は、ユーザ選択またはガイドアプリケーション定義に基づき得る（例えば、録画および放送リスト項目のみの表示、オンデマンドおよび放送リスト項目のみの表示等）。例証されるように、リスト項目９１４、９１６、および９１８は、これらのリスト項目の選択が、それぞれ、オンデマンドリスト項目、録画リスト項目、またはインターネットリスト項目専用の表示へのアクセスを提供し得ることを示すために、グリッド９０２内に表示される時間帯全体に及ぶものとして示されている。いくつかの実施形態において、これらのコンテンツタイプのリスト項目は、グリッド９０２に直接含まれ得る。ユーザがナビゲーションアイコン９２０のうちの１つを選択することに応答して、追加のメディアガイドデータが表示され得る（ユーザ入力デバイス上の矢印キーを押すことは、ナビゲーションアイコン９２０を選択することと同様に表示に影響を及ぼし得る）。
【００６８】
表示９００は、ビデオ領域９２２およびオプション領域９２６も含み得る。ビデオ領域９２２は、ユーザが、ユーザに現在利用可能である番組、今後利用可能となる番組、または利用可能であった番組を視聴および／またはプレビューすることを可能にし得る。ビデオ領域９２２のコンテンツは、グリッド９０２に表示されるリスト項目のうちの１つに対応するか、または、それから独立し得る。ビデオ領域を含むグリッド表示は、時として、ピクチャインガイド（ＰＩＧ）表示と称されることもある。ＰＩＧ表示およびそれらの機能性は、２００３年５月１３日に発行されたＳａｔｔｅｒｆｉｅｌｄ  ｅｔ  ａｌ．の米国特許第６，５６４，３７８号、および２００１年５月２９日に発行されたＹｕｅｎ  ｅｔ  ａｌ．の米国特許第６，２３９，７９４号（それらの全体として参照することによって本明細書に組み込まれる）でより詳細に説明されている。ＰＩＧ表示は、本明細書に説明される実施形態の他のメディアガイドアプリケーション表示画面に含まれ得る。
【００６９】
オプション領域９２６は、ユーザが、異なるタイプのコンテンツ、メディアガイドアプリケーション表示、および／またはメディアガイドアプリケーション特徴にアクセスすることを可能にし得る。オプション領域９２６は、表示９００（および本明細書に説明される他の表示画面）の一部であり得るか、または、画面上のオプションを選択すること、またはユーザ入力デバイス上の専用または割り当て可能ボタンを押すことによって、ユーザによって呼び出され得る。オプション領域９２６内の選択可能オプションは、グリッド９０２内の番組リスト項目に関連する特徴に関し得るか、または、メインメニュー表示から利用可能なオプションを含み得る。番組リスト項目に関連する特徴は、他の放送時間または番組の受信方法を検索すること、番組を録画すること、番組の連続録画を有効化すること、番組および／またはチャネルをお気に入りとして設定すること、番組を購入すること、または他の特徴を含み得る。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイドデータ表示にアクセスするオプション、プレミアムサービスをサブスクライブするオプション、ユーザのプロファイルを編集するオプション、ブラウザオーバーレイにアクセスするオプション、または他のオプションを含み得る。
【００７０】
メディアガイドアプリケーションは、ユーザの選好に基づいて個人化され得る。個人化されたメディアガイドアプリケーションは、ユーザが、メディアガイドアプリケーションを用いて個人化された「体験」を生成するために、表示および特徴をカスタマイズすることを可能にする。この個人化された体験は、ユーザがこれらのカスタマイズを入力することを可能にすることによって、および／または、種々のユーザ選好を決定するためにメディアガイドアプリケーションがユーザアクティビティを監視することによって、生成され得る。ユーザは、ログインすることによって、またはガイドアプリケーションに対して自らを識別することによって、それらの個人化されたガイドアプリケーションにアクセスし得る。メディアガイドアプリケーションのカスタマイズは、ユーザプロファイルに従って作成され得る。カスタマイズは、提示方式（例えば、表示の色方式、テキストのフォントサイズ等）、表示されるコンテンツリスト項目の側面（例えば、ＨＤＴＶ番組のみまたは３Ｄ番組のみ、お気に入りチャネル選択に基づいたユーザ指定の放送チャネル、チャネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更することを含み得る。
【００７１】
メディアガイドアプリケーションは、ユーザが、ユーザプロファイル情報を提供することを可能にし得るか、または、ユーザプロファイル情報を自動的にコンパイルし得る。メディアガイドアプリケーションは、例えば、ユーザがアクセスするコンテンツ、および／または、ユーザがガイドアプリケーションと行い得る他の相互作用を監視し得る。加えて、メディアガイドアプリケーションは、特定のユーザに関連する他のユーザプロファイルの全体または一部を取得し（例えば、ｗｗｗ．Ｔｉｖｏ．ｃｏｍ等のユーザがアクセスするインターネット上の他のウェブサイトから、ユーザがアクセスする他のメディアガイドアプリケーションから、ユーザがアクセスする他の双方向アプリケーションから、ユーザの別のユーザ機器デバイスから等）、および／または、メディアガイドアプリケーションがアクセスし得る他のソースから、ユーザについての情報を取得し得る。結果として、ユーザは、ユーザの異なるユーザ機器デバイスにわたって、統一されたガイドアプリケーション体験を提供されることができる。このタイプのユーザ体験は、図１２に関連して下でより詳細に説明される。追加の個人化されたメディアガイドアプリケーション特徴は、２００５年７月１１日に出願されたＥｌｌｉｓ  ｅｔ  ａｌ．の米国特許出願公開第２００５／０２５１８２７号、２００７年１月１６日に発行されたＢｏｙｅｒ  ｅｔ  ａｌ．の米国特許第７，１６５，０９８号、および２００２年２月２１日に出願されたＥｌｌｉｓ  ｅｔ  ａｌ．の米国特許出願公開第２００２／０１７４４３０号（それらの全体として参照することによって本明細書に組み込まれる）でより詳細に説明されている。
【００７２】
メディアガイドを提供するための別の表示配置が、図１０に示されている。ビデオモザイク表示１０００は、コンテンツのタイプ、ジャンル、および／または他の編成基準に基づいて編成されたコンテンツ情報のための選択可能オプション１００２を含む。表示１０００では、テレビリスト項目オプション１００４が、選択され、したがって、リスト項目１００６、１００８、１０１０、および１０１２を放送番組リスト項目として提供する。表示１０００では、リスト項目は、カバーアート、コンテンツからの静止画像、ビデオクリップのプレビュー、コンテンツからのライブビデオ、またはリスト項目中のメディアガイドデータによって記述されているコンテンツをユーザに示す他のタイプのコンテンツを含むグラフィック画像を提供し得る。グラフィックリスト項目の各々は、リスト項目に関連付けられたコンテンツに関するさらなる情報を提供するために、テキストも伴い得る。例えば、リスト項目１００８は、メディア部分１０１４およびテキスト部分１０１６を含む２つ以上の部分を含み得る。メディア部分１０１４および／またはテキスト部分１０１６は、コンテンツをフル画面で視聴するように、またはメディア部分１０１４に表示されるコンテンツに関連する情報を閲覧するように（例えば、ビデオが表示されるチャネルのリスト項目を閲覧するように）、選択可能であり得る。
【００７３】
表示１０００内のリスト項目は、異なるサイズである（すなわち、リスト項目１００６は、リスト項目１００８、１０１０、および１０１２より大きい）が、所望に応じて、全てのリスト項目が同じサイズであり得る。リスト項目は、コンテンツプロバイダの所望に応じて、またはユーザ選好に基づいて、ユーザの関心の程度を示すために、またはあるコンテンツを強調するように、異なるサイズであるか、またはグラフィック的に強調され得る。コンテンツリスト項目をグラフィック的に強調するための種々のシステムおよび方法は、例えば、２００９年１１月１２日に出願されたＹａｔｅｓの米国特許出願公開第２０１０／０１５３８８５号（その全体として参照することによって本明細書に組み込まれる）に議論されている。
【００７４】
ユーザは、そのユーザ機器デバイスのうちの１つ以上のものから、コンテンツおよびメディアガイドアプリケーション（および、上記および下で説明されるその表示画面）にアクセスし得る。図１１は、例証的ユーザ機器デバイス１１００の汎用実施形態を示す。ユーザ機器デバイスのより具体的な実装は、図１２に関連して下で議論される。ユーザ機器デバイス１１００は、入出力（以下「Ｉ／Ｏ」）パス１１０２を介して、コンテンツおよびデータを受信し得る。Ｉ／Ｏパス１１０２は、処理回路１１０６および記憶装置１１０８を含む制御回路１１０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供し得る。制御回路１１０４は、Ｉ／Ｏパス１１０２を使用して、コマンド、要求、および他の好適なデータを送受信するために使用され得る。Ｉ／Ｏパス１１０２は、制御回路１１０４（具体的には、処理回路１１０６）を１つ以上の通信パス（下で説明される）に接続し得る。Ｉ／Ｏ機能は、これらの通信パスのうちの１つ以上のものによって提供され得るが、図面が複雑になり過ぎることを回避するため、図１１では単一パスとして示されている。
【００７５】
制御回路１１０４は、処理回路１１０６等の任意の好適な処理回路に基づき得る。本明細書で参照されるように、処理回路は、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含み得る。いくつかの実施形態において、処理回路は、複数の別個のプロセッサまたは処理ユニット、例えば、複数の同じタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散され得る。いくつかの実施形態において、制御回路１１０４は、メモリ（すなわち、記憶装置１１０８）に記憶されたメディアガイドアプリケーションに対する命令を実行する。具体的には、制御回路１１０４は、メディアガイドアプリケーションによって、上記および下で議論される機能を果たすように命令され得る。例えば、メディアガイドアプリケーションは、制御回路１１０４に、メディアガイド表示を生成するための命令を提供し得る。いくつかの実装では、制御回路１１０４によって実施される任意のアクションは、メディアガイドアプリケーションから受信される命令に基づき得る。
【００７６】
クライアントサーバベースの実施形態において、制御回路１１０４は、ガイドアプリケーションサーバまたは他のネットワークまたはサーバと通信するための好適な通信回路を含み得る。上で述べられる機能性を実施するための命令は、ガイドアプリケーションサーバ上に記憶され得る。通信回路は、ケーブルモデム、総合デジタル通信網（ＩＳＤＮ）モデム、デジタルサブスクライバ回線（ＤＳＬ）モデム、電話モデム、イーサネット（登録商標）カード、または他の機器との通信用の無線モデム、または任意の他の好適な通信回路を含み得る。そのような通信は、インターネットまたは任意の他の好適な通信ネットワークまたはパスを伴い得る（図１２に関連してより詳細に説明される）。加えて、通信回路は、ユーザ機器デバイスのピアツーピア通信、または互いから遠隔の場所にあるユーザ機器デバイスの通信を可能にする回路を含み得る（下でより詳細に説明される）。
【００７７】
メモリは、制御回路１１０４の一部である記憶装置１１０８として提供される電子記憶デバイスであり得る。本明細書で参照されるように、語句「電子記憶デバイス」または「記憶デバイス」とは、ランダムアクセスメモリ、読み取り専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ、または時として、パーソナルビデオレコーダまたはＰＶＲと呼ばれる）、ソリッドステートデバイス、量子記憶デバイス、ゲームコンソール、ゲームメディア、または任意の他の好適な固定またはリムーバブル記憶デバイス、および／または、それらの任意の組み合わせ等の電子データ、コンピュータソフトウェア、またはファームウェアを記憶するための任意のデバイスを意味すると理解されたい。記憶装置１１０８は、本明細書に説明される種々のタイプのコンテンツ、および、上で説明されるメディアガイドデータを記憶するために使用され得る。不揮発性メモリも、（例えば、ブートアップルーチンおよび他の命令を起動するために）使用され得る。図１２に関連して説明されるクラウドベースの記憶装置が、記憶装置１１０８を補完するために使用されるか、または、記憶装置１１０８の代わりに使用され得る。
【００７８】
制御回路１１０４は、１つ以上のアナログチューナ、１つ以上のＭＰＥＧ−２デコーダ、または他のデジタルデコード回路、高解像度チューナ、または任意の他の好適な同調またはビデオ回路、またはそのような回路の組み合わせ等のビデオ生成回路および同調回路を含み得る。（例えば、記憶するために、無線、アナログ、またはデジタル信号をＭＰＥＧ信号に変換するための）エンコード回路も、提供され得る。制御回路１１０４は、コンテンツをユーザ機器１１００の好ましい出力形式に上方変換および下方変換するためのスケーリング回路も含み得る。回路１１０４は、デジタル信号とアナログ信号との間で変換するためのデジタル／アナログ変換回路およびアナログ／デジタル変換回路も含み得る。同調およびエンコード回路は、コンテンツを受信して表示するために、再生するために、または録画するために、ユーザ機器デバイスによって使用され得る。同調およびエンコード回路は、ガイドデータを受信するためにも使用され得る。例えば、同調、ビデオ生成、エンコード、デコード、暗号化、解読、スケーリング、およびアナログ／デジタル回路を含む本明細書に説明される回路は、１つ以上の汎用または特殊プロセッサ上で起動するソフトウェアを使用して実装され得る。複数のチューナが、同時同調機能（例えば、視聴および録画機能、ピクチャインピクチャ（ＰＩＰ）機能、多重チューナ録画機能等）に対処するために提供され得る。記憶装置１１０８が、ユーザ機器１１００とは別のデバイスとして提供される場合、同調およびエンコード回路（複数のチューナを含む）は、記憶装置１１０８に関連付けられ得る。
【００７９】
ユーザは、ユーザ入力インターフェース１１１０を使用して、命令を制御回路１１０４に送信し得る。ユーザ入力インターフェース１１１０は、リモートコントロール、マウス、トラックボール、キーパッド、キーボード、タッチスクリーン、タッチパッド、スタイラス入力、ジョイスティック、音声認識インターフェース、または他のユーザ入力インターフェース等の任意の好適なユーザインターフェースであり得る。ディスプレイ１１１２は、独立型デバイスとして提供されるか、または、ユーザ機器デバイス１１００の他の要素と統合され得る。例えば、ディスプレイ１１１２は、タッチスクリーンまたはタッチセンサ式ディスプレイであり得る。そのような状況では、ユーザ入力インターフェース１１１０は、ディスプレイ１１１２と統合されるか、または、組み合わせられ得る。ディスプレイ１１１２は、モニタ、テレビ、モバイルデバイス用液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマディスプレイパネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つ以上のものであり得る。いくつかの実施形態において、ディスプレイ１１１２は、ＨＤＴＶ対応型であり得る。いくつかの実施形態において、ディスプレイ１１１２は、３Ｄディスプレイであり得、双方向メディアガイドアプリケーションおよび任意の好適なコンテンツは、３Ｄで表示され得る。ビデオカードまたはグラフィックカードは、ディスプレイ１１１２への出力を生成し得る。ビデオカードは、３Ｄシーンおよび２Ｄグラフィックのレンダリング加速、ＭＰＥＧ−２／ＭＰＥＧ−４デコード、ＴＶ出力、または複数のモニタを接続する能力等の種々の機能を提供し得る。ビデオカードが、制御回路１１０４に関連する上で説明される任意の処理回路であり得る。ビデオカードは、制御回路１１０４と統合され得る。スピーカ１１１４は、ユーザ機器デバイス１１００の他の要素と統合されたものとして提供され得るか、または、独立型ユニットであり得る。ディスプレイ１１１２上に表示されるビデオおよび他のコンテンツのオーディオコンポーネントは、スピーカ１１１４を通して再生され得る。いくつかの実施形態において、オーディオは、スピーカ１１１４を介して音声を処理および出力する、受信機（図示せず）に配布され得る。
【００８０】
ガイドアプリケーションは、任意の好適なアーキテクチャを使用して実装され得る。例えば、それは、ユーザ機器デバイス１１００上で完全に実装される独立型アプリケーションであり得る。そのようなアプローチでは、アプリケーションの命令は、ローカルで（例えば、記憶装置１１０８内に）記憶され、アプリケーションによって使用するためのデータは、周期的にダウンロードされる（例えば、帯域外フィードから、インターネットリソースから、または別の好適なアプローチを使用して）。制御回路１１０４は、記憶装置１１０８からアプリケーションの命令を読み出し、本明細書に議論される表示のうちのいずれかを生成するための命令を処理し得る。処理された命令に基づいて、制御回路１１０４は、入力が入力インターフェース１１１０から受信されるときに実施するアクションを決定し得る。例えば、表示上のカーソルの上／下への移動は、入力インターフェース１１１０が上／下ボタンが選択されたことを示すとき、処理された命令によって示され得る。
【００８１】
いくつかの実施形態において、メディアガイドアプリケーションは、クライアントサーバベースのアプリケーションである。ユーザ機器デバイス１１００上に実装される、シックまたはシンクライアントによって使用するためのデータは、ユーザ機器デバイス１１００の遠隔にあるサーバに要求を発行することによって、オンデマンドで読み出される。クライアントサーバベースのガイドアプリケーションの一例では、制御回路１１０４は、遠隔サーバによって提供されるウェブページを解釈するウェブブラウザを起動する。例えば、遠隔サーバは、記憶デバイスにアプリケーションのための命令を記憶し得る。遠隔サーバは、回路（例えば、制御回路１１０４）を使用して、記憶された命令を処理し、上および下で議論される表示を生成し得る。クライアントデバイスは、遠隔サーバによって生成される表示を受信し得、表示のコンテンツを機器デバイス１１００上にローカルで表示し得る。このように、命令の処理が、サーバによって遠隔で実施される一方、結果として生じる表示は、機器デバイス１１００上にローカルで提供される。機器デバイス１１００は、入力インターフェース１１１０を介して、ユーザからの入力を受信し、対応する表示を処理および生成するために、それらの入力を遠隔サーバに伝送し得る。例えば、機器デバイス１１００は、上／下ボタンが入力インターフェース１１１０を介して選択されたことを示す通信を遠隔サーバに伝送し得る。遠隔サーバは、その入力に従って命令を処理し、入力に対応するアプリケーションの表示を生成し得る（例えば、カーソルを上／下に移動させる表示）。生成された表示は、次いで、ユーザへの提示のために、機器デバイス１１００に伝送される。
【００８２】
いくつかの実施形態において、メディアガイドアプリケーションは、インタープリタまたは仮想マシン（制御回路１１０４によって起動される）によって、ダウンロードされ、解釈または別様に起動される。いくつかの実施形態において、ガイドアプリケーションは、ＥＴＶバイナリ交換形式（ＥＴＶ  Ｂｉｎａｒｙ  Ｉｎｔｅｒｃｈａｎｇｅ  Ｆｏｒｍａｔ／ＥＢＩＦ）でエンコードされ、好適なフィードの一部として制御回路１１０４によって受信され、制御回路１１０４上で起動するユーザエージェントによって解釈され得る。例えば、ガイドアプリケーションは、ＥＢＩＦアプリケーションであり得る。いくつかの実施形態において、ガイドアプリケーションは、制御回路１１０４によって実行されるローカル仮想マシンまたは他の好適なミドルウェアによって受信および起動される一連のＪＡＶＡ（登録商標）ベースのファイルによって定義され得る。そのような実施形態のうちのいくつか（例えば、ＭＰＥＧ−２または他のデジタルメディアエンコードスキームを採用するもの）では、ガイドアプリケーションは、例えば、番組のＭＰＥＧオーディオおよびビデオパケットを用いたＭＰＥＧ−２オブジェクトカルーセルにおいてエンコードおよび伝送され得る。
【００８３】
図１１のユーザ機器デバイス１１００は、ユーザテレビ機器１２０２、ユーザコンピュータ機器１２０４、無線ユーザ通信デバイス１２０６、または非ポータブルゲーム機等のコンテンツにアクセスするために好適な任意の他のタイプのユーザ機器として、図１２のシステム１２００に実装されることができる。簡単にするために、これらのデバイスは、本明細書では総称して、ユーザ機器またはユーザ機器デバイスと称され得、上で説明されるユーザ機器デバイスに実質的に類似し得る。メディアガイドアプリケーションが実装され得るユーザ機器デバイスは、独立型デバイスとして機能し得るか、または、デバイスのネットワークの一部であり得る。デバイスの種々のネットワーク構成が実装され得、下でより詳細に議論される。
【００８４】
図１１に関連して上で説明されるシステム特徴のうちの少なくともいくつかを利用するユーザ機器デバイスは、単に、ユーザテレビ機器１２０２、ユーザコンピュータ機器１２０４、または無線ユーザ通信デバイス１２０６として分類されないこともある。例えば、ユーザテレビ機器１２０２は、いくつかのユーザコンピュータ機器１２０４のように、インターネットコンテンツへのアクセスを可能にするインターネット対応型であり得る一方で、ユーザコンピュータ機器１２０４は、あるテレビ機器１２０２のように、テレビ番組へのアクセスを可能にするチューナを含み得る。メディアガイドアプリケーションは、種々の異なるタイプのユーザ機器上で同一レイアウトを有し得るか、または、ユーザ機器の表示能力に合わせられ得る。例えば、ユーザコンピュータ機器１２０４上では、ガイドアプリケーションは、ウェブブラウザによってアクセスされるウェブサイトとして提供され得る。別の例では、ガイドアプリケーションは、無線ユーザ通信デバイス１２０６のために縮小され得る。
【００８５】
システム１２００では、典型的に、各タイプのユーザ機器デバイスが２つ以上存在するが、図面が複雑になり過ぎることを回避するために、各々の１つのみが図１２に示されている。加えて、各ユーザは、２つ以上のタイプのユーザ機器デバイスを利用し、各タイプのユーザ機器デバイスの２つ以上も利用し得る。
【００８６】
いくつかの実施形態において、ユーザ機器デバイス（例えば、ユーザテレビ機器１２０２、ユーザコンピュータ機器１２０４、無線ユーザ通信デバイス１２０６）は、「第２の画面デバイス」と称され得る。例えば、第２の画面デバイスは、第１のユーザ機器デバイス上に提示されるコンテンツを補完し得る。第２の画面デバイス上に提示されるコンテンツは、第１のデバイス上に提示されるコンテンツを補完する任意の好適なコンテンツであり得る。いくつかの実施形態において、第２の画面デバイスは、第１のデバイスの設定および表示選好を調節するためのインターフェースを提供する。いくつかの実施形態において、第２の画面デバイスは、他の第２の画面デバイスと相互作用するために、またはソーシャルネットワークと相互作用するために構成される。第２の画面デバイスは、第１のデバイスと同じ部屋内に、第１のデバイスと異なる部屋であるが、同じ家または建物内に、または第１のデバイスと異なる建物内に位置することができる。
【００８７】
ユーザは、家庭内デバイスおよび遠隔デバイスにわたって一貫したメディアガイドアプリケーション設定を維持するように種々の設定を設定し得る。設定は、本明細書に説明されるもの、および、お気に入りのチャネルおよび番組、番組を推奨するためにガイドアプリケーションが利用する番組選好、表示選好、および他の望ましいガイド設定を含む。例えば、ユーザが、そのオフィスのパーソナルコンピュータ上で、例えば、ウェブサイトｗｗｗ．Ｔｉｖｏ．ｃｏｍの上で、チャネルをお気に入りとして設定した場合、同じチャネルが、ユーザの家庭内デバイス（例えば、ユーザテレビ機器およびユーザコンピュータ機器）上で、および、所望に応じて、ユーザのモバイルデバイス上でお気に入りとして表示されるであろう。したがって、同一または異なるタイプのユーザ機器デバイスであるかどうかにかかわらず、１つのユーザ機器デバイス上で行われる変更は、別のユーザ機器デバイス上のガイド体験を変更することができる。加えて、行われる変更は、ユーザによって入力される設定、および、ガイドアプリケーションによって監視されるユーザアクティビティに基づき得る。
【００８８】
ユーザ機器デバイスは、通信ネットワーク１２１４に結合され得る。すなわち、ユーザテレビ機器１２０２、ユーザコンピュータ機器１２０４、および無線ユーザ通信デバイス１２０６は、それぞれ、通信パス１２０８、１２１０、および１２１２を介して、通信ネットワーク１２１４に結合される。通信ネットワーク１２１４は、インターネット、携帯電話ネットワーク、モバイルボイスまたはデータネットワーク（例えば、４ＧまたはＬＴＥネットワーク）、ケーブルネットワーク、公衆交換電話ネットワーク、または他のタイプの通信ネットワーク、または通信ネットワークの組み合わせを含む１つ以上のネットワークであり得る。パス１２０８、１２１０、および１２１２は、別個に、または一緒に、衛星パス、光ファイバパス、ケーブルパス、インターネット通信をサポートするパス（例えば、ＩＰＴＶ）、フリースペース接続（例えば、放送または他の無線信号用）、または任意の他の好適な有線または無線通信パス、またはそのようなパスの組み合わせ等の１つ以上の通信パスを含み得る。パス１２１２は、図１２に示される例示的実施形態において、無線パスであることを示すように破線で描かれ、パス１２０８および１２１０は、有線パスであることを示すように実線として描かれている（しかし、これらのパスは、所望に応じて、無線パスであり得る）。ユーザ機器デバイスとの通信は、これらの通信パスのうちの１つ以上のものによって提供され得るが、図１２では、図面が複雑になり過ぎることを回避するために、単一パスとして示されている。
【００８９】
通信パスは、ユーザ機器デバイス間には描かれていないが、これらのデバイスは、パス１２０８、１２１０、および１２１２に関連して上で説明されるもの、および、ＵＳＢケーブル、ＩＥＥＥ  １３９４ケーブル、無線パス（例えば、Ｂｌｕｅｔｏｏｔｈ（登録商標）、赤外線、ＩＥＥＥ  ８０２−１１ｘ等）等の他の短距離ポイントツーポイント通信パス、または有線または無線パスを介した他の短距離通信等の通信パスを介して、互いに直接通信し得る。ＢＬＵＥＴＯＯＴＨ（登録商標）は、Ｂｌｕｅｔｏｏｔｈ（登録商標）  ＳＩＧ，ＩＮＣ．によって所有される認証マークである。ユーザ機器デバイスは、通信ネットワーク１２１４を介した間接パスを通して、互いに直接通信し得る。
【００９０】
システム１２００は、それぞれ、通信パス１２２０および１２２２を介して通信ネットワーク１２１４に結合されるコンテンツソース１２１６およびメディアガイドデータソース１２１８を含む。パス１２２０および１２２２は、パス１２０８、１２１０、および１２１２に関連して上で説明される通信パスのうちのいずれかを含み得る。コンテンツソース１２１６およびメディアガイドデータソース１２１８との通信は、１つ以上の通信パスを介して交信され得るが、図１２では、図面が複雑になり過ぎることを回避するために、単一パスとして示される。加えて、コンテンツソース１２１６およびメディアガイドデータソース１２１８の各々が２つ以上存在し得るが、図１２では、図面が複雑になり過ぎることを回避するために、各々の１つのみが示されている。（異なるタイプのこれらのソースの各々が下で議論される）。所望に応じて、コンテンツソース１２１６およびメディアガイドデータソース１２１８は、１つのソースデバイスとして統合され得る。ソース１２１６および１２１８と、ユーザ機器デバイス１２０２、１２０４、および１２０６との間の通信は、通信ネットワーク１２１４を通したものとして示されるが、いくつかの実施形態において、ソース１２１６および１２１８は、パス１２０８、１２１０、および１２１２に関連して上で説明されるもの等の通信パス（図示せず）を介して、ユーザ機器デバイス１２０２、１２０４、および１２０６と直接通信し得る。
【００９１】
コンテンツソース１２１６は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む１つ以上のタイプのコンテンツ配信機器を含み得る。ＮＢＣは、Ｎａｔｉｏｎａｌ  Ｂｒｏａｄｃａｓｔｉｎｇ  Ｃｏｍｐａｎｙ，Ｉｎｃ．によって所有される商標であり、ＡＢＣは、Ａｍｅｒｉｃａｎ  Ｂｒｏａｄｃａｓｔｉｎｇ  Ｃｏｍｐａｎｙ，ＩＮＣ．によって所有される商標であり、ＨＢＯは、Ｈｏｍｅ  Ｂｏｘ  Ｏｆｆｉｃｅ，Ｉｎｃ．によって所有される商標である。コンテンツソース１２１６は、コンテンツの発信元であることも（例えば、テレビ放送会社、ウェブキャストプロバイダ等）、コンテンツの発信元でないこともある（例えば、オンデマンドコンテンツプロバイダ、ダウンロード用放送番組のコンテンツのインターネットプロバイダ等）。コンテンツソース１２１６は、ケーブルソース、衛星プロバイダ、オンデマンドプロバイダ、インターネットプロバイダ、オーバーザトップコンテンツプロバイダ、または他のコンテンツのプロバイダを含み得る。コンテンツソース１２１６は、ユーザ機器デバイスのうちのいずれかから遠隔の場所にある異なるタイプのコンテンツ（ユーザによって選択されるビデオコンテンツを含む）を記憶するために使用される遠隔メディアサーバも含み得る。コンテンツの遠隔記憶、および遠隔に記憶されたコンテンツをユーザ機器に提供するためのシステムおよび方法は、２０１０年７月２０日に発行されたＥｌｌｉｓ  ｅｔ  ａｌ．の米国特許第７，７６１，８９２号（その全体として参照することによって本明細書に組み込まれる）に関連して、より詳細に議論されている。
【００９２】
メディアガイドデータソース１２１８は、上で説明されるメディアガイドデータ等のメディアガイドデータを提供し得る。メディアガイドデータは、任意の好適なアプローチを使用して、ユーザ機器デバイスに提供され得る。いくつかの実施形態において、ガイドアプリケーションは、データフィード（例えば、継続フィードまたはトリクルフィード）を介して、番組ガイドデータを受信する独立型双方向テレビ番組ガイドであり得る。番組スケジュールデータおよび他のガイドデータは、テレビチャネルのサイドバンド上で、帯域内デジタル信号を使用して、帯域外デジタル信号を使用して、または任意の他の好適なデータ伝送技術によって、ユーザ機器に提供され得る。番組スケジュールデータおよび他のメディアガイドデータは、複数のアナログまたはデジタルテレビチャネル上でユーザ機器に提供され得る。
【００９３】
いくつかの実施形態において、メディアガイドデータソース１２１８からのガイドデータは、クライアントサーバアプローチを使用して、ユーザの機器に提供され得る。例えば、ユーザ機器デバイスは、メディアガイドデータをサーバからプルし得るか、または、サーバは、メディアガイドデータをユーザ機器デバイスにプッシュし得る。いくつかの実施形態において、ユーザの機器上に常駐するガイドアプリケーションクライアントは、必要に応じて、例えば、ガイドデータが古くなっているとき、またはユーザ機器デバイスがデータを受信する要求をユーザから受信するとき、ソース１２１８とセッションを開始し、ガイドデータを取得し得る。メディアガイドは、任意の好適な頻度で（例えば、継続的に、毎日、ユーザ規定期間で、システム規定期間で、ユーザ機器からの要求に応答して等）ユーザ機器に提供され得る。メディアガイドデータソース１２１８は、ユーザ機器デバイス１２０２、１２０４、および１２０６に、メディアガイドアプリケーション自体、またはメディアガイドアプリケーションのソフトウェア更新を提供し得る。
【００９４】
いくつかの実施形態において、メディアガイドデータは、視聴者データを含み得る。例えば、視聴者データは、現在および／または履歴ユーザアクティビティ情報（例えば、ユーザが典型的に鑑賞するコンテンツ、ユーザがコンテンツを鑑賞する時刻、ユーザがソーシャルネットワークと相互作用するかどうか、ユーザがソーシャルネットワークと相互作用し、情報をポストする時間、ユーザが典型的に鑑賞するコンテンツのタイプ（例えば、有料ＴＶまたは無料ＴＶ）、気分、脳の活動情報等）を含み得る。メディアガイドデータは、サブスクリプションデータも含み得る。例えば、サブスクリプションデータは、所与のユーザがサブスクライブするソースまたはサービスおよび／または所与のユーザが以前にサブスクライブしていたが、後にアクセスを打ち切ったソースまたはサービス（例えば、ユーザがプレミアムチャネルをサブスクライブしているかどうか、ユーザがプレミアムレベルのサービスを追加したかどうか、ユーザがインターネット速度を加速させたかどうか）を識別し得る。いくつかの実施形態において、視聴者データおよび／またはサブスクリプションデータは、２年以上の期間の間の所与のユーザのパターンを識別し得る。メディアガイドデータは、所与のユーザがサービス／ソースへのアクセスを打ち切るであろう可能性を示すスコアを生成するために使用されるモデル（例えば、残存者モデル）を含み得る。例えば、メディアガイドアプリケーションは、所与のユーザが特定のサービスまたはソースへのアクセスを打ち切るであろうかどうかの可能性を示す値またはスコアを生成するためのモデルを使用して、サブスクリプションデータとともに視聴者データを処理し得る。特に、より高いスコアは、ユーザが特定のサービスまたはソースへのアクセスを打ち切るであろうより高いレベルの信頼性を示し得る。スコアに基づいて、メディアガイドアプリケーションは、ユーザがアクセスを打ち切る可能性が高いであろうものとしてスコアによって示される特定のサービスまたはソースをユーザが維持するように勧誘する宣伝を生成し得る。
【００９５】
メディアガイドアプリケーションは、例えば、ユーザ機器デバイス上に実装される独立型アプリケーションであり得る。例えば、メディアガイドアプリケーションは、記憶装置１１０８に記憶され、ユーザ機器デバイス１１００の制御回路１１０４によって実行され得るソフトウェアまたは実行可能命令の組として実装され得る。いくつかの実施形態において、メディアガイドアプリケーションは、クライアント−サーバアプリケーションであり得、その場合、クライアントアプリケーションのみが、ユーザ機器デバイス上に常駐し、サーバアプリケーションは、遠隔サーバ上に常駐する。例えば、メディアガイドアプリケーションは、部分的にユーザ機器デバイス１１００の制御回路１１０４上のクライアントアプリケーションとして、および遠隔サーバの制御回路上で起動するサーバアプリケーション（例えば、メディアガイドデータソース１２１８）として部分的に遠隔サーバ上で、実装され得る。遠隔サーバの制御回路（メディアガイドデータソース１２１８等）によって実行されると、メディアガイドアプリケーションは、制御回路に、ガイドアプリケーション表示を生成し、生成された表示をユーザ機器デバイスに伝送するように命令し得る。サーバアプリケーションは、メディアガイドデータソース１２１８の制御回路にユーザ機器上での記憶のためのデータを伝送するように命令し得る。クライアントアプリケーションは、受信用ユーザ機器の制御回路にガイドアプリケーション表示を生成するために命令し得る。
【００９６】
ユーザ機器デバイス１２０２、１２０４、および１２０６に配信されるコンテンツおよび／またはメディアガイドデータは、オーバーザトップ（ＯＴＴ）コンテンツであり得る。ＯＴＴコンテンツ配信は、上で説明される任意のユーザ機器デバイスを含むインターネット対応型ユーザデバイスが、ケーブルまたは衛星接続を経由して受信されるコンテンツに加えて、上で説明される任意のコンテンツを含むインターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配布する。ＩＳＰは、視聴能力、著作権、またはコンテンツの再配布に責任がない場合があり、ＯＴＴコンテンツプロバイダによって提供されるＩＰパケットのみを転送し得る。ＯＴＴコンテンツプロバイダの例は、ＩＰパケットを介してオーディオおよびビデオを提供する、ＹＯＵＴＵＢＥ（登録商標）、ＮＥＴＦＬＩＸ、およびＨＵＬＵを含む。Ｙｏｕｔｕｂｅは、Ｇｏｏｇｌｅ  Ｉｎｃ．によって所有される商標であり、Ｎｅｔｆｌｉｘは、Ｎｅｔｆｌｉｘ，Ｉｎｃ．によって所有される商標であり、Ｈｕｌｕは、Ｈｕｌｕ，ＬＬＣ．によって所有される商標である。ＯＴＴコンテンツプロバイダは、加えて、または代替として、上で説明されるメディアガイドデータを提供し得る。コンテンツおよび／またはメディアガイドデータに加えて、ＯＴＴコンテンツのプロバイダは、メディアガイドアプリケーション（例えば、ウェブベースのアプリケーションまたはクラウドベースのアプリケーション）を配布することができる、またはコンテンツは、ユーザ機器デバイス上に記憶されたメディアガイドアプリケーションによって表示されることができる。
【００９７】
メディアガイドシステム１２００は、いくつかのアプローチまたはネットワーク構成を例証することを意図しており、これによって、ユーザ機器デバイス、およびコンテンツおよびガイドデータのソースは、コンテンツにアクセスし、メディアガイドを提供する目的のために、互いに通信し得る。本明細書に説明される実施形態は、これらのアプローチのうちのいずれか１つまたは一部において、またはコンテンツを配信し、メディアガイドを提供するための他のアプローチを採用するシステムにおいて、適用され得る。以下の４つのアプローチは、図１２の汎用例の具体的例証を提供する。
【００９８】
あるアプローチでは、ユーザ機器デバイスは、ホームネットワーク内で互いに通信し得る。ユーザ機器デバイスは、上で説明される短距離ポイントツーポイント通信方式を介して、ホームネットワーク上に提供されるハブまたは他の類似デバイスを通した間接パスを介して、または通信ネットワーク１２１４を介して、互いに直接通信することができる。１つの家庭内の複数の個人の各々が、ホームネットワーク上の異なるユーザ機器デバイスを動作させ得る。結果として、種々のメディアガイド情報または設定が、異なるユーザ機器デバイス間で通信されることが望ましくあり得る。例えば、２００５年７月１１日に出願されたＥｌｌｉｓ  ｅｔ  ａｌ．の米国特許公開第２００５／０２５１８２７号でより詳細に説明されるように、ホームネットワーク内の異なるユーザ機器デバイス上で、ユーザが一貫したメディアガイドアプリケーション設定を維持することが望ましくあり得る。ホームネットワーク内の異なるタイプのユーザ機器デバイスも、互いに通信し、コンテンツを伝送し得る。例えば、ユーザは、ユーザコンピュータ機器からポータブルビデオプレーヤまたはポータブル音楽プレーヤにコンテンツを伝送し得る。
【００９９】
第２のアプローチでは、ユーザは、複数のタイプのユーザ機器を有し得、これによって、コンテンツにアクセスし、メディアガイドを取得する。例えば、一部のユーザは、家庭内およびモバイルデバイスによってアクセスされるホームネットワークを有し得る。ユーザは、遠隔デバイス上に実装されるメディアガイドアプリケーションを介して、家庭内デバイスを制御し得る。例えば、ユーザは、そのオフィスのパーソナルコンピュータ、またはＰＤＡまたはウェブ対応携帯電話等のモバイルデバイスを介して、ウェブサイト上のオンラインメディアガイドアプリケーションにアクセスし得る。ユーザは、オンラインガイドアプリケーション上で種々の設定（例えば、録画、リマインダ、または他の設定）を設定して、ユーザの家庭内機器を制御し得る。オンラインガイドは、直接、またはユーザの家庭内機器上のメディアガイドアプリケーションと通信することによって、ユーザの機器を制御し得る。ユーザ機器デバイスが互いから遠隔の場所にあるユーザ機器デバイスの通信のための種々のシステムおよび方法は、例えば、２０１１年１０月２５日に発行されたＥｌｌｉｓ  ｅｔ  ａｌ．の米国特許第８，０４６，８０１号（その全体を参照することによって本明細書に組み込まれる）に議論されている。
【０１００】
第３のアプローチでは、家庭内外のユーザ機器デバイスのユーザは、コンテンツソース１２１６と直接通信し、コンテンツにアクセスするために、そのメディアガイドアプリケーションを使用することができる。具体的には、家庭内では、ユーザテレビ機器１２０２およびユーザコンピュータ機器１２０４のユーザは、メディアガイドアプリケーションにアクセスし、所望のコンテンツ間をナビゲートし、それを見つけ得る。ユーザは、無線ユーザ通信デバイス１２０６も使用して、家庭外のメディアガイドアプリケーションにアクセスし、所望のコンテンツ間をナビゲートし、それを見つけ得る。
【０１０１】
第４のアプローチでは、ユーザ機器デバイスは、クラウドコンピューティング環境内で動作し、クラウドサービスにアクセスし得る。クラウドコンピューティング環境では、コンテンツ共有、記憶、または配布のための種々のタイプのコンピューティングサービス（例えば、ビデオ共有サイトまたはソーシャルネットワーキングサイト）が、「クラウド」と称されるネットワークアクセス可能コンピューティングおよび記憶リソースの集合によって提供される。例えば、クラウドは、通信ネットワーク１２１４を介したインターネット等のネットワークを介して接続される種々のタイプのユーザおよびデバイスにクラウドベースのサービスを提供する中央にまたは分散場所に位置し得るサーバコンピューティングデバイスの集合を含むことができる。これらのクラウドリソースは、１つ以上のコンテンツソース１２１６および１つ以上のメディアガイドデータソース１２１８を含み得る。加えて、または代替として、遠隔コンピューティングサイトは、ユーザテレビ機器１２０２、ユーザコンピュータ機器１２０４、および無線ユーザ通信デバイス１２０６等の他のユーザ機器デバイスを含み得る。例えば、他のユーザ機器デバイスは、ビデオの記憶されたコピーまたはストリーミングされたビデオへのアクセスを提供し得る。そのような実施形態において、ユーザ機器デバイスは、中央サーバと通信することなく、ピアツーピア様式で動作し得る。
【０１０２】
クラウドは、ユーザ機器デバイスのために、他の例の中でもとりわけ、コンテンツ記憶、コンテンツ共有、またはソーシャルネットワーキングサービス等のサービスへのアクセス、および上で説明される任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、それを介して、ユーザ供給コンテンツは、接続されたデバイス上で他者によって視聴するために配布される。これらのクラウドベースのサービスは、ユーザ機器デバイスが、コンテンツをローカルで記憶し、ローカルで記憶されたコンテンツにアクセスするのではなく、コンテンツをクラウドに記憶し、コンテンツをクラウドから受信することを可能にし得る。
【０１０３】
ユーザは、カムコーダ、ビデオモード付きデジタルカメラ、オーディオレコーダ、携帯電話、およびハンドヘルドコンピューティングデバイス等の種々のコンテンツ捕捉デバイスを使用して、コンテンツを録画し得る。ユーザは、直接、例えば、ユーザコンピュータ機器１２０４から、またはコンテンツ捕捉特徴を有する無線ユーザ通信デバイス１２０６からのいずれかにおいて、クラウド上のコンテンツ記憶サービスにコンテンツをアップロードすることができる。代替として、ユーザは、最初に、コンテンツをユーザコンピュータ機器１２０４等のユーザ機器デバイスに転送することができる。コンテンツを記憶するユーザ機器デバイスは、通信ネットワーク１２１４上のデータ伝送サービスを使用して、コンテンツをクラウドにアップロードする。いくつかの実施形態において、ユーザ機器デバイス自体が、クラウドリソースであり、他のユーザ機器デバイスは、直接、ユーザがコンテンツを記憶したユーザ機器デバイスから、コンテンツにアクセスすることができる。
【０１０４】
クラウドリソースは、例えば、ウェブブラウザ、メディアガイドアプリケーション、デスクトップアプリケーション、モバイルアプリケーション、および／または、それらのアクセスアプリケーションの任意の組み合わせを使用して、ユーザ機器デバイスによってアクセスされ得る。ユーザ機器デバイスは、アプリケーション配信のためにクラウドコンピューティングに依拠するクラウドクライアントであり得るか、または、ユーザ機器デバイスは、クラウドリソースにアクセスすることなく、ある機能性を有し得る。例えば、ユーザ機器デバイス上で起動するいくつかのアプリケーションは、クラウドアプリケーション、すなわち、インターネットを経由してサービスとして配信されるアプリケーションであり得る一方で、他のアプリケーションは、ユーザ機器デバイス上に記憶され、起動され得る。いくつかの実施形態において、ユーザデバイスは、コンテンツを複数のクラウドリソースから同時に受信し得る。例えば、ユーザデバイスは、オーディオを１つのクラウドリソースからストリーミングする一方で、コンテンツを第２のクラウドリソースからダウンロードすることができる。または、ユーザデバイスは、より効率的なダウンロードのために、コンテンツを複数のクラウドリソースからダウンロードすることができる。いくつかの実施形態において、ユーザ機器デバイスは、図１１に関連して説明される処理回路によって実施される処理動作等の処理動作のために、クラウドリソースを使用することができる。
【０１０５】
本明細書で参照されるように、用語「〜に応答して」は、「〜の結果として開始される」ことを指す。例えば、第２のアクションに応答して実施されている第１のアクションは、第１のアクションと第２のアクションとの間に介在ステップを含み得る。本明細書で参照されるように、用語「〜に直接応答して」は、「〜によって引き起こされる」ことを指す。例えば、第２のアクションに直接応答して実施されている第１のアクションは、第１のアクションと第２のアクションとの間に介在ステップを含まないこともある。
【０１０６】
図１３は、本開示のいくつかの実施形態による電子ブックのための補足コンテンツを検索するためのクエリを作成するためのプロセス１３００の例証的ステップのフローチャートである。プロセス１３００またはその任意のステップは、図１１−１２に示されるデバイスのうちのいずれかの上で実施されるか、または、それによって提供され得ることに留意されたい。例えば、プロセス１３００は、補足コンテンツを検索するために、ユーザデバイス（例えば、ユーザ機器デバイス１２０２、１２０４、および／または１２０６（図１２））上に実装されるメディアガイドアプリケーションによって命令されるように、制御回路１１０４（図１１）によって実行され得る。加えて、プロセス１３００の１つ以上のステップは、本明細書に説明される任意の他のプロセスまたは実施形態の１つ以上のステップの中に組み込まれるか、または、それと組み合わせられ得る。
【０１０７】
プロセス１３００は、電子ブックのための補足コンテンツのためのクエリを作成し、次いで、補足コンテンツを生成するためのプロセスを描写する。プロセス１３００は、メディアガイドアプリケーションのための制御回路１１０４が、電子ブック、特に、電子ブックの選択された部分に関連する補足コンテンツのための検索クエリを形成するために使用されるであろうユーザデバイス上の電子ブック表示におけるテキストの部分の電子ブックの読者による選択を受信することから開始する。読者は、電子ブック表示におけるテキストの部分を選択し得る。部分の選択の入力は、ステップ１３０２においてメディアガイドアプリケーションのための制御回路１１０４によって受信される。テキストの選択された部分の例は、例えば、テキスト２５０または４５０（それぞれ、図２および４）であり得る。いくつかのシナリオでは、選択された部分のユーザ入力は、メディアガイドアプリケーションによって自動的に実施され、チャプタ概要のための電子ブックメタデータファイル、キーワード情報、または書籍レビュー、書籍の説明、または他の書籍データアグリゲータソースの電子ブックデータベースから、取得され得る。
【０１０８】
ユーザ入力は、メディアガイドアプリケーションのための制御回路１１０４によって受信され、次いで、ステップ１３０４においてキーワードを決定するために分析または解析され得る。選択されたテキストから解析されるキーワードは、選択されたテキストにおける用語を識別するために言語分析を使用して取得され得、用語は、名詞であり得るか、または、電子ブックファイル、例えば、８２０（図８）からのメタデータを使用して決定されるようなある重要性を有し得る。電子ブックのためのマニフェストファイル（例えば、８３０、図８）が、検索クエリを作成するために関連性があり得る電子ブックについての基準を識別するために、制御回路１１０４によって取得され得る。マニフェストファイルは、テキストの選択された部分に基づくチャプタについての情報をもたらし得る。
【０１０９】
チャプタ情報は、ステップ１３０６において、制御回路１１０４によってマニフェストファイル８３０から読み出され得る。加えて、電子ブックのタイトル情報が、メディアガイドアプリケーションのための制御回路１１０４によってマニフェストファイル８３０から読み出され得る。チャプタおよびタイトル情報は、マニフェストファイル８３０におけるインデックスに含まれ得、チャプタは、マニフェストファイル８３０からのチャプタまたは書籍コンテンツ階層情報を使用して、判別され得る。
【０１１０】
検索クエリが、キーワードに基づいて生成され得、マニフェストファイルからの基準、すなわち、チャプタおよびタイトルが、補足コンテンツを検索するために、ステップ１３０８において、メディアガイドアプリケーションのための制御回路１１０４によって、ユーザデバイス、例えば、１２０６から遠隔データベースに送信され得る。遠隔データベースは、メディアコンテンツのデータベースであり得、１つ以上のデータベースであり得る。遠隔データベースは、ネットワークを介してアクセス可能であり得る。上記の例を使用して、遠隔メディアデータベースは、合致するコンテンツに関して検索され得、検索は、物語の進捗情報を使用して精緻化され得、進捗情報をメディアアセットのためのメタデータに合致させる。例えば、図２に示される電子ブックから「ｂｅ  ｏｕｒ  ｇｕｅｓｔ」２５０を検索するとき、楽曲のビデオクリップが、合致する補足コンテンツアイテムとして見出され得る。加えて、映画Ｂｅａｕｔｙ  ａｎｄ  ｔｈｅ  Ｂｅａｓｔが、識別され得、特に、楽曲が出現する映画の部分が、楽曲が出現する場所を識別するために、映画の字幕情報を使用して識別され得る。合致する映画は、補足コンテンツとして提示され、楽曲が映画に出現する時点から示され得る。同様に、口頭で、または視覚的に配信されるタグラインに関して、タグラインは、字幕データを使用して識別され、タグラインが出現する時点でユーザに提示され得る。字幕データを検索することに加えて、メディアガイドアプリケーションは、メディアアセットについてのユーザが生成した解説も検索し、関連補足コンテンツを示すための時点詳細をさらに精緻化し得る。
【０１１１】
遠隔データベースは、クエリに合致する検索結果をメディアガイドアプリケーションのための制御回路１１０４に供給し、いくつかのシナリオでは、合致する検索結果のリストが、選択のためにユーザに示され得る。そのようなリストは、ユーザデバイス上での表示のために、メディアガイドアプリケーションのための制御回路１１０４によって生成されるであろう。他の例では、１つの合致する補足コンテンツアイテムが、ステップ１３１０においてメディアガイドアプリケーションのための制御回路１１０４によって自動的に受信されるであろう。受信された補足コンテンツは、ステップ１３１２においてユーザのために表示の中に生成されることができる。検索結果およびクエリは、図１５に示されるステップに従って精緻化され得る。
【０１１２】
図１３のステップまたは説明は、本開示の任意の他の実施形態と共に使用され得ることが想定される。加えて、図１３に関連して説明されるステップおよび説明は、本開示の目的を促すために、代替順序で、または並行して行われ得る。例えば、これらのステップの各々は、システムまたは方法の遅延を低減させるか、または速度を増加させるために、任意の順序で、または並行して、または実質的に同時に実施され得る。これらのステップのうちのいずれかは、プロセスからスキップされるか、または省略され得る。さらに、図１１−１２に関して議論されるデバイスまたは機器のいずれかは、図１３におけるステップのうちの１つ以上のものを実施するために使用され得ることに留意されたい。
【０１１３】
図１４は、本開示のいくつかの実施形態による電子ブックのための補足コンテンツを検索するためのクエリを作成するためのプロセス１４００の例証的ステップのフローチャートである。プロセス１４００またはその任意のステップは、図１１−１２に示されるデバイスのうちのいずれかの上で実施されるか、または、それによって提供され得ることに留意されたい。例えば、プロセス１４００は、補足コンテンツを検索するために、ユーザデバイス（例えば、ユーザ機器デバイス１２０２、１２０４、および／または１２０６（図１２））上に実装されるメディアガイドアプリケーションによって命令されるように、制御回路１１０４（図１１）によって実行され得る。加えて、プロセス１４００の１つ以上のステップは、本明細書に説明される任意の他のプロセスまたは実施形態の１つ以上のステップの中に組み込まれるか、または、それと組み合わせられ得る。
【０１１４】
プロセス１４００は、電子ブックのための補足コンテンツのためのクエリを作成し、次いで、補足コンテンツを生成するためのプロセスを描写する。プロセス１４００は、メディアガイドアプリケーションのための制御回路１１０４が、電子ブック、特に、電子ブックの選択された部分に関連する補足コンテンツのための検索クエリを形成するために使用されるであろうユーザデバイス上の電子ブック表示におけるテキストの部分の電子ブックの読者による選択を受信することから開始する。読者は、電子ブック表示におけるテキストの部分を選択し得る。部分の入力の選択は、ステップ１４０２においてメディアガイドアプリケーションのための制御回路１１０４によって受信される。テキストの選択された部分の例は、例えば、テキスト２５０または４５０（それぞれ、図２および４）であり得る。いくつかのシナリオでは、メディアガイドアプリケーションによって受信される選択された部分は、電子ブックのためのメタデータからの電子ブックテキストについての情報とともに、電子ブックテキストの電子ブックファイルおよびそれぞれのマニフェストファイル情報を使用して、メディアガイドアプリケーションによって自動的に受信され得、電子ブックのためのメタデータは、チャプタ概要、タグライン、キーワード、または書籍レビュー、書籍販売者リスト項目、書籍ブログ、または他の電子ブック情報ソースからの電子ブック解説を含む。
【０１１５】
ユーザ入力は、メディアガイドアプリケーションのための制御回路１１０４によって受信され、次いで、ステップ１４０４においてキーワードを決定するために分析または解析され得る。選択されたテキストから解析されるキーワードは、選択されたテキストにおける用語を識別するために、言語分析を使用して取得され得、用語は、名詞であり得るか、または、電子ブックファイル、例えば、８２０（図８）からのメタデータを使用して決定されるようにある重要性を有し得る。電子ブックのためのマニフェストファイル（例えば、８３０、図８）が、検索クエリを作成するために関連性があり得る電子ブックについての基準を識別するために、制御回路１１０４によって取得され得る。マニフェストファイルは、テキストの選択された部分に基づくチャプタについての情報をもたらし得る。
【０１１６】
マニフェストファイル、例えば、マニフェストファイル８３０は、電子ブックのチャプタおよびタイトル情報を取得するために、制御回路１１０４によってステップ１４０６において読み出され得る。チャプタおよびタイトル情報は、マニフェストファイル８３０におけるインデックスに含まれ得、チャプタは、マニフェストファイル８３０からのチャプタまたは書籍コンテンツ階層情報を使用して、メディアガイドアプリケーションのための制御回路１１０４によって判別され得る。
【０１１７】
ステップ１４０８では、メディアガイドアプリケーションのための制御回路１１０４は、検索クエリに含むために、読み出されたタイトルを第１の基準として自動的に選択するであろう。このステップでは、検索クエリは、ステップ１４０４からのキーワードと、タイトルの選択された基準とを含むであろう。したがって、図２からの例では、テキストの選択された部分としての「ｂｅ  ｏｕｒ  ｇｕｅｓｔ」は、「ｂｅ  ｏｕｒ  ｇｕｅｓｔ」が、Ｂｅａｕｔｙ  ａｎｄ  ｔｈｅ  Ｂｅａｓｔのためのタグラインであり、それが、電子ブックのためのメタデータ８２０において特筆され得るので、「ｇｕｅｓｔ」というキーワードまたはキーワード語句「ｂｅ  ｏｕｒ  ｇｕｅｓｔ」をもたらし得、「ｂｅ  ｏｕｒ  ｇｕｅｓｔ」から開始される検索クエリは、書籍タイトルＢｅａｕｔｙ  ａｎｄ  ｔｈｅ  Ｂｅａｓｔのための基準を追加したであろう。この基準を追加することは、検索を書籍の文脈に集中させるであろう。同様に、図４からの書籍の例を使用して、選択されたテキスト部分「ｔｈｅｒｅ  ｗａｓ  ｍｙ  ｂｅａｓｔ  ｆａｃｅ  ａｇａｉｎ」は、検索のための基準として、部分における名詞、すなわち、「ｂｅａｓｔ  ｆａｃｅ」、および書籍のタイトル、すなわち、Ｂｅａｓｔｌｙ  Ｋｅｎｄｒａ  Ｃｈｒｏｎｉｃｌｅｓのキーワード語句の検索をもたらすであろう。
【０１１８】
ステップ１４１０では、メディアガイドアプリケーションのための制御回路１１０４は、第２の基準として検索クエリに含むために、マニフェストファイルから読み出されたチャプタを自動的に選択するであろう。上記の例では、（チャプタが利用可能ではない場合）ロケータが図２からのＢｅａｕｔｙ  ａｎｄ  ｔｈｅ  Ｂｅａｓｔの検索に関連付けられるようにし、図４からのＢｅａｓｔｌｙ  Ｋｅｎｄｒａ  Ｃｈｒｏｎｉｃｌｅｓの検索に関して、チャプタ３（４３５）が、別の基準として検索クエリに含まれ得る。ロケータ情報を使用することは、選択されたテキストの場所の進捗割合がメディアのあるアイテムにほぼ互いに関係し得るので、追加のコンテキストを検索に追加することができる。加えて、例えば、Ｂｅａｓｔｌｙ  Ｋｅｎｄｒａ  Ｃｈｒｏｎｉｃｌｅｓのチャプタ３に関するチャプタ概要情報が、追加のキーワードを見出すために解析されることができ、キーワードは、メディアアイテム説明情報または字幕メタデータまたは他のメディアアイテム詳細と合致させられ得る。
【０１１９】
ステップ１４１２では、メディアガイドアプリケーションのための制御回路１１０４は、（ステップ１４０４からの決定されたキーワード、ステップ１４０８からの第１の基準、すなわち、選択されたテキストのチャプタまたは場所、およびステップ１４１０からの第２の基準、すなわち、電子ブックのタイトルを使用して）電子ブックに関連する補足コンテンツのためのクエリを生成するであろう。
【０１２０】
生成された検索クエリは、補足コンテンツを検索するために、ステップ１４１４において、メディアガイドアプリケーションのための制御回路１１０４によって、ユーザデバイス、例えば、１２０６から遠隔データベースに送信され得る。遠隔データベースは、メディアコンテンツのデータベースであり得、１つ以上のデータベースであり得る。遠隔データベースは、ネットワークを介してアクセス可能であり得る。上記の例を使用して、遠隔メディアデータベースは、合致するコンテンツに関して検索され得、検索は、物語の進捗情報を使用して精緻化され得、進捗情報をメディアアセットのためのメタデータに合致させる。例えば、図２に示される電子ブックからの「ｂｅ  ｏｕｒ  ｇｕｅｓｔ」２５０に関して検索するとき、楽曲のビデオクリップが、合致する補足コンテンツアイテムとして見出され得る。加えて、映画Ｂｅａｕｔｙ  ａｎｄ  ｔｈｅ  Ｂｅａｓｔが、識別され得、特に、楽曲が出現する映画の部分が、楽曲が出現する場所を識別するために、映画の字幕情報を使用して識別され得る。合致する映画は、補足コンテンツとして提示され、楽曲が映画に出現する時点から示され得る。同様に、口頭で、または視覚的に配信されるタグラインに関して、タグラインは、字幕データを使用して識別され、タグラインが出現する時点でユーザに提示され得る。字幕データを検索することに加えて、メディアガイドアプリケーションは、メディアアセットについてのユーザが生成した解説も検索し、関連補足コンテンツを示すための時点詳細をさらに精緻化し得る。
【０１２１】
遠隔データベースは、クエリに合致する検索結果をメディアガイドアプリケーションのための制御回路１１０４に供給し、いくつかのシナリオでは、合致する検索結果のリストが、選択のためにユーザに示され得る。そのようなリストは、ユーザデバイス上での表示のために、メディアガイドアプリケーションのための制御回路１１０４によって生成されるであろう。他の例では、１つの合致する補足コンテンツアイテムが、ステップ１４１６においてメディアガイドアプリケーションのための制御回路１１０４によって自動的に受信されるであろう。受信された補足コンテンツは、ステップ１４１８においてユーザのために表示の中に生成されることができる。検索結果およびクエリは、図１４に示されるステップに従って精緻化され得る。
【０１２２】
図１４のステップまたは説明は、本開示の任意の他の実施形態と共に使用され得ることが想定される。加えて、図１４に関連して説明されるステップおよび説明は、本開示の目的を促進するために、代替順序で、または並行して行われ得る。例えば、これらのステップの各々は、システムまたは方法の遅延を低減させるか、または速度を増加させるために、任意の順序で、または並行して、または実質的に同時に実施され得る。これらのステップのうちのいずれかは、プロセスからスキップされるか、または省略され得る。さらに、図１１−１２に関して議論されるデバイスまたは機器のいずれかは、図１４におけるステップのうちの１つ以上のものを実施するために使用され得ることに留意されたい。
【０１２３】
図１５は、本開示のいくつかの実施形態による電子ブックのための補足コンテンツを検索するためのプロセス１５００の例証的ステップのフローチャートである。プロセス１５００またはその任意のステップは、図１１−１２に示されるデバイスのうちのいずれかの上で実施されるか、または、それによって提供され得ることに留意されたい。例えば、プロセス１５００は、補足コンテンツを検索するために、ユーザデバイス（例えば、ユーザ機器デバイス１２０２、１２０４、および／または１２０６（図１２））上に実装されるメディアガイドアプリケーションによって命令されるように、制御回路１１０４（図１１）によって実行され得る。加えて、プロセス１５００の１つ以上のステップは、本明細書に説明される任意の他のプロセスまたは実施形態の１つ以上のステップの中に組み込まれるか、または、それと組み合わせられ得る。
【０１２４】
プロセス１５００は、電子ブックに関連する補足コンテンツを識別するために従われ得る。ステップ１５１０では、補足コンテンツのためのクエリが、メディアガイドアプリケーションのための制御回路１１０４によって受信され得る。クエリは、補足コンテンツに関するオプション（例えば、ボタン２６０および４６０）を選択することによって、または関連コンテンツを有するとして指定される電子ブックテキストのハイライトされた部分を選択することによって、書籍の部分、例えば、２５０および４５０を選択する電子ブックの読者によって、開始され得る。いくつかのシナリオでは、メディアガイドアプリケーションによって受信される選択された部分は、電子ブックのためのメタデータからの電子ブックテキストについての情報とともに、電子ブックテキストの電子ブックファイルおよびそれぞれのマニフェストファイル情報を使用して、メディアガイドアプリケーションによって自動的に受信され得、電子ブックのためのメタデータは、チャプタ概要、タグライン、キーワード、または書籍レビュー、書籍販売者リスト項目、書籍ブログ、または他の電子ブック情報ソースからの電子ブック解説を含む。
【０１２５】
ユーザデバイス制御回路１１０４は、ステップ１５２０において電子ブックマニフェストファイルを分析し、検索クエリに含むための基準を決定し得る。例えば、マニフェストファイル８３０は、書籍、チャプタ、およびページについての詳細を含み得、検索結果に影響を及ぼし得る物語の進捗の時系列を含み得る。チャプタ概要情報は、検索クエリを精緻化するために使用され得るメタデータ８２０においても利用可能であり得る。
【０１２６】
ステップ１５３０では、メディアガイドアプリケーションのための制御回路１１０４は、マニフェストファイルからの基準および補足コンテンツクエリのためのテキストに基づく検索クエリを合致する補足コンテンツを検索するために遠隔メディアデータベースに送信し得る。
【０１２７】
合致する補足コンテンツが、ステップ１５４０において遠隔データベースから識別され得る。クエリへの合致は、例えば、好適な年齢範囲、ジャンルタイプ、クエリに関連性がある説明情報を有するコンテンツを見出すために、メディアアセットのための遠隔データベースからのメタデータを使用して、実施され得る。加えて、ユーザ選好情報が、検索を向上させるために使用され得る。メディアガイドアプリケーションは、次いで、ユーザに提示すべき合致する補足コンテンツを決定し得る。
【０１２８】
ステップ１５５０では、制御回路１１０４は、ユーザ選好プロファイルをチェックし、合致する補足コンテンツメディアアイテムに関連する任意のユーザ選好があるかどうかを決定し得る。例えば、レーティングコンテンツに関するユーザ選好は、ユーザの相対的な年齢を示し得る。したがって、図４の例からの検索に関して、若者向け書籍であるＫｅｎｄｒａ  Ｂｅａｓｔｌｙ  Ｃｈｒｏｎｉｃｌｅｓから、検索結果は、ＴＶ−１５のテレビレーティングを有し、保護者のコンテンツ指導を有するＢｅａｕｔｙ  ａｎｄ  ｔｈｅ  Ｂｅａｓｔシリーズのテレビエピソードをもたらし得る。対照的に、図２の例からの検索では、子供の書籍であるＢｅａｕｔｙ  ａｎｄ  ｔｈｅ  Ｂｅａｓｔから、検索結果は、それが子供のために好適ではないので、テレビシリーズを省略し得る。加えて、漫画の選好を有するユーザに関して、検索結果は、書籍の漫画化を含み得る。他方で、ミュージカルの選好を有するユーザに関して、Ｂｅａｕｔｙ  ａｎｄ  ｔｈｅ  Ｂｅａｓｔの実写バージョンが、検索結果に含まれ得る。
【０１２９】
ステップ１５６０において、ユーザ選好プロファイルに合致するアイテムが存在する場合、メディアガイドアプリケーションのための制御回路１１０４は、ユーザ選好に関連する合致する補足コンテンツメディアアイテムのリストを生成し得る。しかしながら、ユーザ選好プロファイルへの関連がない場合、ユーザデバイスは、ステップ１５４０において識別された合致する補足コンテンツメディアアイテムの同じリストを続けるであろう。
【０１３０】
ステップ１５６０および１５６５からのリストの両方が、ステップ１５７０においてユーザ制御に関してチェックされるであろう。ユーザ制御は、メディアアイテムを表示することに干渉し得るか、または、メディアアイテムを共有することを問題にし得るメディアアイテムに関する任意のアクセス制限があるかどうかを決定することであり得る。例えば、ＰＧ−１３を上回る映画レーティング、またはＴＶ−１５以上のテレビレーティング、または露骨の指定は、メディアアイテムが制限された、または目立つ様式でリスト内に提示されるようにし得る。例えば、ユーザがアクセスをそのようなタイプのコンテンツに制限することを望むが、そのようなコンテンツを視聴することのユーザ履歴も有する場合、例えば、図２の子供の書籍であるＢｅａｕｔｙ  ａｎｄ  ｔｈｅ  Ｂｅａｓｔからの検索は、同じタイトルを有するテレビシリーズ、すなわち、Ｂｅａｕｔｙ  ａｎｄ  ｔｈｅ  Ｂｅａｓｔに関する検索結果をもたらすが、ユーザ選好を超えるレーティングを有することを明確にする様式で提示され得る。
【０１３１】
ステップ１５７５において、メディアアイテムに関するユーザ制御が存在する場合、検索結果のリストが、ユーザ制御に従って提示され得る。そうではない場合、検索結果のリストは、以前のステップ１５６０および１５６５からのように示され得る。いくつかのシナリオでは、単一の検索結果が、最も関連性のあるとして識別され得、その検索結果に関する補足コンテンツアイテムが、読者のデバイスまたは第２のデバイス上でメディアガイドアプリケーションによって自動的に表示され得る。
【０１３２】
図１５のステップまたは説明は、本開示の任意の他の実施形態と共に使用され得ることが想定される。加えて、図１５に関連して説明されるステップおよび説明は、本開示の目的を促進するために、代替順序で、または並行して行われ得る。例えば、これらのステップの各々は、システムまたは方法の遅延を低減させるか、または速度を増加させるために、任意の順序で、または並行して、または実質的に同時に実施され得る。これらのステップのうちのいずれかは、プロセスからスキップされるか、または省略され得る。さらに、図１１−１２に関して議論されるデバイスまたは機器のいずれかは、図１５におけるステップのうちの１つ以上のものを実施するために使用され得ることに留意されたい。
【０１３３】
図１６は、本開示のいくつかの実施形態による電子ブックのための補足コンテンツの検索をフィルタ処理するためのプロセス１６００の例証的ステップのフローチャートである。プロセス１６００またはその任意のステップは、図１１−１２に示されるデバイスのうちのいずれかの上で実施されるか、または、それによって提供され得ることに留意されたい。例えば、プロセス１６００は、補足コンテンツを検索するために、ユーザデバイス（例えば、ユーザ機器デバイス１２０２、１２０４、および／または１２０６（図１２））上に実装されるメディアガイドアプリケーションによって命令されるように、制御回路１１０４（図１１）によって実行され得る。加えて、プロセス１６００の１つ以上のステップは、本明細書に説明される任意の他のプロセスまたは実施形態の１つ以上のステップの中に組み込まれるか、または、それと組み合わせられ得る。
【０１３４】
図１６は、電子ブックマニフェストファイルからの詳細を使用して、電子ブックへの補足コンテンツのための検索クエリをフィルタ処理するための例証的プロセス１６００を描写する。ステップ１６１０では、電子ブックの読者が、電子ブックにおけるテキストの部分を選択することによって、補足コンテンツの検索を開始し得、テキストの選択された部分が、メディアガイドアプリケーションのための制御回路１１０４によって受信される。例えば、読者は、電子ブックからテキストを選択するか、または、電子ブックにおけるハイライトされた語句、例えば、２５０または４５０（それぞれ、図２および４）を選択し得る。例えば、制御回路１１０４は、電子ブックからテキストのユーザ選択を受信し得る。いくつかのシナリオでは、メディアガイドアプリケーションによって受信される選択された部分は、チャプタ概要、タグライン、キーワード、または書籍レビュー、書籍販売者リスト項目、書籍ブログ、または他の電子ブック情報ソースからの電子ブック解説を含む電子ブックのためのメタデータからの電子ブックテキストについての情報とともに、電子ブックテキストの電子ブックファイルおよびそれぞれのマニフェストファイル情報を使用して、メディアガイドアプリケーションによって自動的に受信され得る。
【０１３５】
ステップ１６１５では、メディアガイドアプリケーションのための制御回路１１０４は、選択されたテキストの部分を解析し、テキストの部分におけるキーワードを決定し得る。選択されたテキストから解析されるキーワードは、選択されたテキストにおける用語を識別するために、言語分析を使用して取得され得、用語は、名詞であり得るか、または、電子ブックファイル、例えば、８２０（図８）からのメタデータを使用して決定されるようにある重要性を有し得る。解析されたキーワードは、制御回路１１０４によって、ステップ１６２０において検索クエリを生成するための基礎として使用され得る。
【０１３６】
ユーザデバイスのための制御回路１１０４は、ステップ１６２５において、検索クエリに合致する補足コンテンツを検索するために、検索クエリを遠隔データベースに伝送し、得る。
【０１３７】
遠隔データベースまたは２つ以上のメディアデータベースが、検索クエリに合致する補足コンテンツに関して検索され得る。メディアアイテムのためのメタデータも、好適な合致するコンテンツを見出すために分析され得る。
【０１３８】
キーワードの検索からの複数の結果が、ステップ１６３０において、メディアガイドアプリケーションのための制御回路１１０４によって遠隔データベースから受信され得る。多くの検索結果が存在し得るので、結果は、結果の数を削減するために、または結果の関連性を改良するために、フィルタ処理されることができる。
【０１３９】
ステップ１６３５では、メディアガイドアプリケーションのための制御回路１１０４は、電子ブックのためのマニフェストファイルを読み出し得る。マニフェストファイルは、テキストの部分が選択された電子ブックのタイトルおよび電子ブックのチャプタを含む電子ブックについてのデータを含む。マニフェストファイル、例えば、８３０は、電子ブックファイル８００から取得され得、検索クエリを開始するために使用されたテキストの部分の場所に関連性がある情報を含み得る。キーワードソース場所に関するマニフェストファイル詳細は、電子ブックのあるセクションに関連する映画のクリップ、または電子ブックのテレビシリーズ化のエピソード等を識別するとき、役立ち得る。例えば、図４からのＢｅａｓｔｌｙ  Ｋｅｎｄｒａ  Ｃｈｒｏｎｉｃｌｅｓからの検索および図２からのＢｅａｕｔｙ  ａｎｄ  ｔｈｅ  Ｂｅａｓｔからの検索が、それぞれのマニフェストファイルからの基準によってフィルタ処理され得る。
【０１４０】
メディアガイドアプリケーションのための制御回路１１０４は、次いで、マニフェストファイルからの２つの基準（タイトルおよびチャプタ）を使用し、ステップ１６４０において検索結果をフィルタ処理し得る。
【０１４１】
フィルタ処理された検索結果は、最終検索結果リストに含まれ得、最終検索結果リストは、ステップ１６４５において、メディアガイドアプリケーションのための制御回路１１０４によってユーザデバイスにおいて表示のために生成される。最終検索結果リストは、キーワードに合致し、電子ブックのためのマニフェストファイル８３０から識別される基準によってフィルタ処理された検索結果を含み得る。したがって、例えば、図２の電子ブックから開始される検索からの「ｂｅ  ｏｕｒ  ｇｕｅｓｔ」に関する複数の検索結果が、「Ｂｅ  ｏｕｒ  Ｇｕｅｓｔ」と題されたＡｍｅｒｉｃａｎ  Ｈｏｒｒｏｒ  Ｓｔｏｒｙのエピソードの実例を除去するようにフィルタ処理され、例えば、書籍Ｂｅａｕｔｙ  ａｎｄ  ｔｈｅ  Ｂｅａｓｔに関連するアイテムのみを含むようにフィルタ処理され得る。
【０１４２】
ステップ１６５０では、例えば、電子ブックリーダ上で起動するメディアガイドアプリケーションのための制御回路１１０４は、ステップ１６４５において生成される検索リストにおける検索結果のうちの１つを選択する第２のユーザ入力を受信し得る。
【０１４３】
第２のユーザ入力選択に応答して、ユーザデバイスは、ステップ１６５５において、選択された検索結果に対応する補足コンテンツアイテムを受信し得る。補足コンテンツアイテムは、メディアコンテンツデータベース、例えば、１２１６、または他のメディアソースから受信され得る。メディアコンテンツデータベースは、ユーザおよびメディアガイドアプリケーションに関するアクセス利用可能性、コンテンツに関するデータフィードの品質または信頼性に基づいて、または補足コンテンツが配信されるであろうデバイスのタイプに基づいて、補足コンテンツの受信のために選択され得る。例えば、テレビが、補足コンテンツのためのより高解像度のソースファイルから利益を受け得る一方で、ポータブルデバイスは、補足コンテンツのより軽いまたはより短いバージョンから利益を受け得る。ネットワーク利用可能性および能力も、メディアソースの選定に影響を及ぼし得る。
【０１４４】
受信された補足コンテンツアイテムは、ステップ１６６０において表示内で視聴され得る。いくつかのシナリオでは、補足コンテンツ表示は、ステップ１６１０において、検索クエリが開始されたユーザデバイス上で生成されるであろう。他のシナリオでは、補足コンテンツ表示は、第２のユーザデバイス上で生成されるであろう。
【０１４５】
メディアガイドアプリケーションが、電子ブックテキストからの選択されたテキスト部分を使用して、自動的に補足コンテンツの検索を実施しているいくつかのシナリオでは、補足コンテンツに関する検索結果は、テキスト部分に関連して、例えば、電子ブックファイルのためのメタデータに、または関連コンテンツのための電子ブックデータベースに記憶され得る。
【０１４６】
図１６のステップまたは説明は、本開示の任意の他の実施形態と共に使用され得ることが想定される。加えて、図１６に関連して説明されるステップおよび説明は、本開示の目的を促進するために、代替順序で、または並行して行われ得る。例えば、これらのステップの各々は、システムまたは方法の遅延を低減させるか、または速度を増加させるために、任意の順序で、または並行して、または実質的に同時に実施され得る。これらのステップのうちのいずれかは、プロセスからスキップされるか、または省略され得る。さらに、図１１−１２に関して議論されるデバイスまたは機器のいずれかは、図１６におけるステップのうちの１つ以上のものを実施するために使用され得ることに留意されたい。
【０１４７】
図１７は、本開示のいくつかの実施形態による電子ブックのための補足コンテンツの検索をフィルタ処理するためのプロセス１７００の例証的ステップのフローチャートである。プロセス１７００またはその任意のステップは、図１１−１２に示されるデバイスのうちのいずれかの上で実施されるか、または、それによって提供され得ることに留意されたい。例えば、プロセス１７００は、補足コンテンツを検索するために、ユーザデバイス（例えば、ユーザ機器デバイス１２０２、１２０４、および／または１２０６（図１２））上に実装されるメディアガイドアプリケーションによって命令されるように、制御回路１１０４（図１１）によって実行され得る。加えて、プロセス１７００の１つ以上のステップは、本明細書に説明される任意の他のプロセスまたは実施形態の１つ以上のステップの中に組み込まれるか、または、それと組み合わせられ得る。
【０１４８】
図１７は、電子ブックマニフェストファイルからの詳細を使用して、電子ブックへの補足コンテンツのための検索クエリをフィルタ処理するための例証的プロセス１７００を描写する。ステップ１７１０では、電子ブックの読者が、電子ブックにおけるテキストの部分を選択することによって、補足コンテンツの検索を開始し得、テキストの選択された部分が、メディアガイドアプリケーションのための制御回路１１０４によって受信される。例えば、読者は、電子ブックからテキストを選択するか、または、電子ブックにおけるハイライトされた語句、例えば、２５０または４５０（それぞれ、図２および４）を選択し得る。例えば、制御回路１１０４は、電子ブックからテキストのユーザ選択を受信し得る。いくつかのシナリオでは、メディアガイドアプリケーションによって受信される選択された部分は、チャプタ概要、タグライン、キーワード、または書籍レビュー、書籍販売者リスト項目、書籍ブログ、または他の電子ブック情報ソースからの電子ブック解説を含む電子ブックのためのメタデータからの電子ブックテキストについての情報とともに、電子ブックテキストの電子ブックファイルおよびそれぞれのマニフェストファイル情報を使用して、メディアガイドアプリケーションによって自動的に受信され得る。
【０１４９】
ステップ１７１５では、メディアガイドアプリケーションのための制御回路１１０４は、選択されたテキストの部分を解析し、テキストの部分におけるキーワードを決定し得る。選択されたテキストから解析されるキーワードは、選択されたテキストにおける用語を識別するために、言語分析を使用して取得され得、用語は、名詞であり得るか、または、電子ブックファイル、例えば、８２０（図８）からのメタデータを使用して決定されるようにある重要性を有し得る。解析されたキーワードは、制御回路１１０４によって、ステップ１７２０において検索クエリを生成するための基礎として使用され得る。
【０１５０】
ユーザデバイスのための制御回路１１０４は、ステップ１７２５において、検索クエリに合致する補足コンテンツを検索するために、検索クエリを遠隔データベースに伝送し得る。
【０１５１】
遠隔データベースまたは２つ以上のメディアデータベースが、検索クエリに合致する補足コンテンツに関して検索され得る。メディアアイテムのためのメタデータも、好適な合致するコンテンツを見出すために分析され得る。
【０１５２】
キーワードの検索からの複数の結果が、ステップ１７３０において、メディアガイドアプリケーションのための制御回路１１０４によって遠隔データベースから受信され得る。多くの検索結果が存在し得るので、結果は、結果の数を削減するために、または結果の関連性を改良するために、フィルタ処理されることができる。
【０１５３】
ステップ１７３５では、メディアガイドアプリケーションのための制御回路１１０４は、電子ブックのためのマニフェストファイルを読み出し得る。マニフェストファイルは、テキストの部分が選択された電子ブックのタイトルおよび電子ブックのチャプタを含む電子ブックについてのデータを含む。マニフェストファイル、例えば、８３０は、電子ブックファイル８００から取得され得、検索クエリを開始するために使用されるテキストの部分の場所に関連性がある情報を含み得る。キーワードソース場所に関するマニフェストファイル詳細は、電子ブックのあるセクションに関連する映画のクリップ、または電子ブックのテレビシリーズ化のエピソード等を識別するとき、役立ち得る。例えば、図４からのＢｅａｓｔｌｙ  Ｋｅｎｄｒａ  Ｃｈｒｏｎｉｃｌｅｓからの検索および図２からのＢｅａｕｔｙ  ａｎｄ  ｔｈｅ  Ｂｅａｓｔからの検索が、それぞれのマニフェストファイルからの基準によってフィルタ処理され得る。
【０１５４】
ステップ１７４０では、メディアガイドアプリケーションのための制御回路１１０４は、マニフェストファイルからのタイトルを第１の基準として選択し得る。したがって、図２からの「ｂｅ  ｏｕｒ  ｇｕｅｓｔ」２５０の検索に関して、検索結果は、タイトル、すなわち、Ｂｅａｕｔｙ  ａｎｄ  ｔｈｅ  Ｂｅａｓｔの第１の基準を用いてフィルタ処理され得る。そして、図４からの「ｔｈｅｒｅ  ｗａｓ  ｍｙ  ｂｅａｓｔ  ｆａｃｅ  ａｇａｉｎ」４５０の検索に関して、検索結果は、そのタイトル、すなわち、Ｂｅａｓｔｌｙ  Ｋｅｎｄｒａ  Ｃｈｒｏｎｉｃｌｅｓの第１の基準を用いてフィルタ処理され得る。
【０１５５】
ステップ１７４５では、メディアガイドアプリケーションのための制御回路１１０４は、マニフェストファイルに基づいて、チャプタを第２の基準として選択し得る。チャプタまたは場所情報は、物語の進捗に互いに関連する合致するメディアを見出すために使用されることができる。
【０１５６】
メディアガイドアプリケーションのための制御回路１１０４は、次いで、ステップ１７５０において、２つの基準を使用し、検索結果をフィルタ処理し得る。
【０１５７】
フィルタ処理された検索結果は、最終検索結果リストに含まれ得、最終検索結果リストは、ステップ１７５５において、メディアガイドアプリケーションのための制御回路１１０４によってユーザデバイスにおいて表示のために生成される。最終検索結果リストは、キーワードに合致し、ステップ１７４０および１７４５において電子ブックのためのマニフェストファイル８３０から識別される基準によってフィルタ処理された検索結果を含み得る。したがって、例えば、図２の電子ブックから開始される検索からの「ｂｅ  ｏｕｒ  ｇｕｅｓｔ」に関する複数の検索結果が、「Ｂｅ  ｏｕｒ  Ｇｕｅｓｔ」と題されたＡｍｅｒｉｃａｎ  Ｈｏｒｒｏｒ  Ｓｔｏｒｙのエピソードの実例を除去するようにフィルタ処理され、例えば、書籍Ｂｅａｕｔｙ  ａｎｄ  ｔｈｅ  Ｂｅａｓｔに関連するアイテムのみを含むようにフィルタ処理され得る。
【０１５８】
ステップ１７６０では、例えば、電子ブックリーダ上で起動するメディアガイドアプリケーションのための制御回路１１０４は、ステップ１７５５において生成される検索リストにおける検索結果のうちの１つを選択する第２のユーザ入力を受信し得る。
【０１５９】
第２のユーザ入力選択に応答して、ユーザデバイスは、ステップ１７６５において、選択された検索結果に対応する補足コンテンツアイテムを受信し得る。補足コンテンツアイテムは、メディアコンテンツデータベース、例えば、１２１６、または他のメディアソースから受信され得る。メディアコンテンツデータベースは、ユーザおよびメディアガイドアプリケーションに関するアクセス利用可能性、コンテンツに関するデータフィードの品質または信頼性に基づいて、または補足コンテンツが配信されるであろうデバイスのタイプに基づいて、補足コンテンツの受信のために選択され得る。例えば、テレビが、補足コンテンツのためのより高解像度のソースファイルから利益を受け得る一方で、ポータブルデバイスは、補足コンテンツのより軽いまたはより短いバージョンから利益を受け得る。ネットワーク利用可能性および能力も、メディアソースの選定に影響を及ぼし得る。
【０１６０】
受信された補足コンテンツアイテムは、ステップ１７７０において表示内で視聴され得る。いくつかのシナリオでは、補足コンテンツ表示は、ステップ１７１０において、検索クエリが開始されたユーザデバイス上で生成されるであろう。他のシナリオでは、補足コンテンツ表示は、第２のユーザデバイス上で生成されるであろう。
【０１６１】
図１７のステップまたは説明は、本開示の任意の他の実施形態と共に使用され得ることが想定される。加えて、図１６に関連して説明されるステップおよび説明は、本開示の目的を促進するために、代替順序で、または並行して行われ得る。例えば、これらのステップの各々は、システムまたは方法の遅延を低減させるか、または速度を増加させるために、任意の順序で、または並行して、または実質的に同時に実施され得る。これらのステップのうちのいずれかは、プロセスからスキップされるか、または省略され得る。さらに、図１１−１２に関して議論されるデバイスまたは機器のいずれかは、図１７におけるステップのうちの１つ以上のものを実施するために使用され得ることに留意されたい。
【０１６２】
上で議論されるプロセスは、限定的ではなく例証的であることを意図している。電子ブックに関する本明細書に説明される例は、他のメディア環境でも適用され得る。当業者は、本明細書に議論されるプロセスのステップが、省略され、修正され、組み合わせられ、および／または再配置され得、任意の追加のステップが、本発明の範囲から逸脱することなく実施され得ることを理解するであろう。より一般的に、上記開示は、限定的ではなく例示的であるように意図されている。以下に続く請求項のみが、本発明が含むものに関して境界を設定するように意図されている。さらに、いずれか１つの実施形態で説明される特徴および限定は、本明細書の任意の他の実施形態に適用され得、一実施形態に関するフローチャートまたは例は、好適な様式で任意の他の実施形態と組み合わせられること、異なる順序で行われること、または並行して行われ得ることに留意されたい。加えて、本明細書に説明されるシステムおよび方法は、リアルタイムで実施され得る。上で説明されるシステムおよび／または方法が他のシステムおよび／または方法に適用され得ること、または、それらに従って使用され得ることにも留意されたい。
【図１】
2021503658.tif 000002
【図２】
2021503658.tif 000003
【図３】
2021503658.tif 000004
【図４】
2021503658.tif 000005
【図５】
2021503658.tif 000006
【図６】
2021503658.tif 000007
【図７】
2021503658.tif 000008
【図８】
2021503658.tif 000009
【図９】
2021503658.tif 000010
【図１０】
2021503658.tif 000011
【図１１】
2021503658.tif 000012
【図１２】
2021503658.tif 000013
【図１３】
2021503658.tif 000014
【図１４】
2021503658.tif 000015
【図１５】
2021503658.tif 000016
【図１６】
2021503658.tif 000017
【図１７】
2021503658.tif 000018
【図１７−１】
2021503658.tif 000019
【国際調査報告】
2021503658.tif 000020
2021503658.tif 000021
2021503658.tif 000022